(57)【特許請求の範囲】
【請求項１】
１以上の電話端末と、１以上の前記電話端末と通信網に接続された通信機器との間の接続を制御するサーバ装置とからなり、監視モードを備えた電話システムであって、
１以上の前記電話端末は、
監視モード時に周囲の音声を収音するマイクロホンと、
前記マイクロホンで収音された音声の音量レベルが閾値を超えたか否かを判別する判別手段と、
前記判別手段により前記音量レベルが閾値を超えたと判別された場合に、前記サーバ装置との間に通話回線を接続し、前記マイクロホンで収音される音声を前記サーバ装置に送信する収音音声送信手段と
を備え、
前記サーバ装置は、
監視モード時に前記電話端末との間に接続される通話回線を通じて送信されてくる収音音声を受信する受信手段と、
前記受信手段を通じて収音音声を受信した場合に、所定の監視先との間に通話回線を接続し、前記受信手段を通じて受信した前記収音音声を前記所定の監視先に送信する受信音声送信手段と
を備え、
１以上の前記電話端末の前記判別手段は、前記音量レベルが閾値を超えたと判別した場合に、前記閾値を下げて、判別感度を上げることを特徴とする電話システム。
【請求項２】
請求項１に記載の電話システムであって、
１以上の前記電話端末は、
電話端末の配置位置に応じて決められる侵入者検知通知を送信すべき１以上の他の電話端末の特定情報を記憶保持する記憶手段と、
前記判別手段により前記音量レベルが閾値を超えたと判別された場合に、前記記憶手段の特定情報に基づいて、１以上の他の電話端末に侵入者検知通知を送信する検知通知送信手段と、
他の電話端末からの侵入者検知通知を受信する検知通知受信手段と
を備え、
前記検知通知受信手段を通じて前記侵入者検知通知を受信した場合に、前記判別手段は、前記閾値を下げて、判別感度を上げることを特徴とする電話システム。
【請求項３】
請求項２に記載の電話システムであって、
１以上の前記電話端末は、
前記検知通知受信手段を通じて前記侵入者検知通知を受信した後、前記判別手段により前記マイクロホンで収音した音声の音量レベルが閾値を超えたと判別した場合に、前記音量レベルを前記侵入者検知通知の送信元の電話端末に対して送信する音量レベル送信手段と、
前記検知通知送信手段を通じて前記侵入者検知通知を送信した後に、前記侵入者検知通知を受信した電話端末からの音量レベルを受信する音量レベル受信手段と、
前記音量レベル受信手段を通じて受信した他の電話端末の音量レベルと、前記マイクロホンで収音した音声の音量レベルとを比較する比較手段と、
前記比較手段の比較結果が、前記他の電話端末の音量レベルが高いことを示している場合に、移行通知を前記音量レベルの送信元の前記他の電話端末に送信する移行通知送信手段と、
前記侵入者検知通知の送信元の電話端末からの前記移行通知を受信する移行通知受信手段と
を備え、
前記収音音声送信手段は、前記移行通知受信手段を通じて前記移行通知を受信した場合に、前記サーバ装置との間に通話回線を接続し、前記マイクロホンで収音される音声を前記サーバ装置に送信することを特徴とする電話システム。
【請求項４】
１以上の電話端末と、１以上の前記電話端末と通信網に接続された通信機器との間の接続を制御するサーバ装置とからなり、監視モードを備えた電話システムであって、
１以上の前記電話端末は、
監視モード時に周囲の音声を収音するマイクロホンと、
前記マイクロホンで収音された音声の音量レベルが閾値を超えたか否かを判別する判別手段と、
前記判別手段により前記音量レベルが閾値を超えたと判別された場合に、前記サーバ装置との間に通話回線を接続し、前記マイクロホンで収音される音声を前記サーバ装置に送信する収音音声送信手段と
を備え、
前記サーバ装置は、
監視モード時に前記電話端末との間に接続される通話回線を通じて送信されてくる収音音声を受信する受信手段と、
前記受信手段を通じて収音音声を受信した場合に、所定の監視先との間に通話回線を接続し、前記受信手段を通じて受信した前記収音音声を前記所定の監視先に送信する受信音声送信手段と
を備え、
前記１以上の電話端末は、
前記サーバ装置からの仕切りなおし通知を受信する仕切りなおし通知受信手段と、
前記仕切りなおし通知受信手段を通じて前記仕切りなおし通知を受信した場合に、監視モード時の初期状態に戻るように各部を制御する制御手段と
を備え、
前記サーバ装置は、
前記所定の監視先からの誤報判別通知を受信する誤報判別通知受信手段と、
前記誤報判別通知受信手段を通じて前記誤報判別通知を受信した場合に、１以上の前記電話端末のそれぞれに対して、仕切りなおし通知を送信する仕切りなおし通知送信手段と
を備えることを特徴とする電話システム。
【請求項５】
１以上の電話端末と、１以上の前記電話端末と通信網に接続された通信機器との間の接続を制御するサーバ装置とからなり、監視モードを備えた電話システムであって、
１以上の前記電話端末は、
監視モード時に周囲の音声を収音するマイクロホンと、
前記マイクロホンで収音された音声の音量レベルが閾値を超えたか否かを判別する判別手段と、
前記判別手段により前記音量レベルが閾値を超えたと判別された場合に、前記サーバ装置との間に通話回線を接続し、前記マイクロホンで収音される音声を前記サーバ装置に送信する収音音声送信手段と
を備え、
前記サーバ装置は、
監視モード時に前記電話端末との間に接続される通話回線を通じて送信されてくる収音音声を受信する受信手段と、
前記受信手段を通じて収音音声を受信した場合に、所定の監視先との間に通話回線を接続し、前記受信手段を通じて受信した前記収音音声を前記所定の監視先に送信する受信音声送信手段と
を備え、
１以上の前記電話端末は、
前記判別手段により前記音量レベルが閾値を超えたと判別された場合に、前記サーバ装置に対して侵入者検知通知を送信する検知通知送信手段と、
前記サーバ装置からの音声送信要求を受信する音声送信要求受信手段と、
前記サーバ装置から送信される侵入者検知通知を受信する検知通知受信手段と、
を備え、
前記収音音声送信手段は、前記音声送信要求受信手段を通じて前記音声送信要求を受信した場合に、前記サーバ装置との間に通話回線を接続し、前記マイクロホンで収音される音声を前記サーバ装置に送信するものであり、
前記判別手段は、前記検知通知受信手段を通じて前記侵入者検知通知を受信した場合に、前記閾値を下げて、判別感度を上げるようにしており、
前記サーバ装置は、
１以上の前記電話端末からの前記侵入者検知通知を受信する検知通知受信手段と、
前記検知通知受信手段を通じて、前記侵入者検知通知を受信した場合に、前記侵入者検知通知の送信元の電話端末に対して、音声送信要求を送信する音声送信要求送信手段と、
前記侵入者検知通知の送信元となる電話端末毎に、侵入者検知通知を送信すべき１以上の電話端末の特定情報を記憶保持する記憶手段と、
前記検知通知受信手段を通じて前記電話端末から前記侵入者検知通知を受信した場合に、前記記憶手段の特定情報に基づいて、１以上の電話端末に侵入者検知通知を送信する検知通知送信手段と
を備えることを特徴とする電話システム。
【請求項６】
請求項５に記載の電話システムであって、
１以上の前記電話端末は、
前記検知通知受信手段を通じて前記サーバ装置からの前記侵入者検知通知を受信した後、前記判別手段により前記マイクロホンで収音した音声の音量レベルが閾値を超えたと判別し、かつ、前記収音音声送信手段を通じて収音音声を送信していない場合に、前記音量レベルを前記サーバ装置に対して送信する音量レベル送信手段を備え、
前記サーバ装置は、
収音音声を送信してきていない電話端末からの第１の音量レベルを受信する第１の音量レベル受信手段と、
前記第１の音量レベル受信手段を通じて前記第１の音量レベルを受信した場合に、自機に収音音声を送信してきている電話端末に対して、収音音声の音量レベルの送信要求を送信する送信要求送信手段と、
前記送信要求に応じて、自機に収音音声を送信してきている電話端末から送信されてくる第２の音量レベルを受信する第２の音量レベル受信手段と、
前記第１の音量レベルと第２の音量レベルとを比較する比較手段と、
前記比較手段の比較結果が、前記第１の音量レベルが高いとを示している場合に、前記第１の音量レベルを送信してきた前記電話端末に対して、音声送信要求を送信する第２の音声送信要求送信手段と
を備えることを特徴とする電話システム。
【請求項７】
請求項３または請求項６に記載の電話システムであって、
前記サーバ装置は、
前記マイクロホンで収音される前記収音音声の送信元となった電話端末の変化の状態を記憶保持する経路保持手段を備えることを特徴とする電話システム。
【請求項８】
１以上の電話端末と、１以上の前記電話端末と通信網に接続された通信機器との間の接続を制御するサーバ装置とからなり、監視モードを備えた電話システムの前記電話端末であって、
監視モード時に周囲の音声を収音するマイクロホンと、
前記マイクロホンで収音された音声の音量レベルが閾値を超えたか否かを判別する判別手段と、
前記判別手段により前記音量レベルが閾値を超えたと判別された場合に、前記サーバ装置との間に通話回線を接続し、前記マイクロホンで収音される音声を前記サーバ装置に送信する収音音声送信手段と
を備え、
前記判別手段は、前記音量レベルが閾値を超えたと判別した場合に、前記閾値を下げて、判別感度を上げることを特徴とする電話端末。
【請求項９】
１以上の電話端末と、１以上の前記電話端末と通信網に接続された通信機器との間の接続を制御するサーバ装置とからなり、監視モードを備えた電話システムの前記サーバ装置であって、
監視モード時に前記電話端末との間に接続される通話回線を通じて送信されてくる収音音声を受信する受信手段と、
前記受信手段を通じて収音音声を受信した場合に、所定の監視先との間に通話回線を接続し、前記受信手段を通じて受信した前記収音音声を前記所定の監視先に送信する受信音声送信手段と
を備え、さらに
前記所定の監視先からの誤報判別通知を受信する誤報判別通知受信手段と、
前記誤報判別通知受信手段を通じて前記誤報判別通知を受信した場合に、１以上の前記電話端末のそれぞれに対して、監視モード時の初期状態に戻るように各部を制御するための仕切りなおし通知を送信する仕切りなおし通知送信手段と
を備えることを特徴とするサーバ装置。
【発明の詳細な説明】
【技術分野】
【０００１】
この発明は、侵入者等の異常を検知して、通報先に通報する監視モードを備えた電話システム、当該電話システムで用いられる電話端末およびサーバ装置に関する。
【背景技術】
【０００２】
火災、侵入者、急病などの緊急事態の発生時に、これを電話網等の通信ネットワークを通じて所定の通知先に通知することによって、適切な対応を迅速に取ることができるようにする緊急通報システムなどと呼ばれるものが広く利用されるようになってきている。
【０００３】
例えば、後に記す特許文献１には、センサによって異常を検知した場合に、これを所定の通知先に通知すると共に、マイクロホンによって収音した音声も所定の通知先に送信する緊急通報システムに関する発明が開示されている。
【０００４】
また、後に記す特許文献２には、電話装置に異常検出センサを搭載し、当該センサを通じて侵入者等の異常を検知した場合に、所定の電話装置から威嚇音や威嚇光を出力する電話装置に関する発明が開示されている。
【先行技術文献】
【特許文献】
【０００５】
【特許文献１】特開２００６−３２３４９０号公報
【特許文献１】特開２００６−２４５６６７号公報
【発明の概要】
【発明が解決しようとする課題】
【０００６】
ところで、上述した特許文献１に記載の発明の場合、異常検知通知だけでなく、マイクロホンを設けておくことにより、マイクロホンの収音音声も所定の通知先に送信して、当該通知先において異常発生場所からの音声によって異常の発生状況を知ることができる。
【０００７】
また、マイクロホンだけでなく、カメラも設けておくことによって、音声だけでなく映像の送信も可能となり、音声と映像との両方に基づいて異常の発生状況を確認することも可能となる。
【０００８】
しかしながら、特許文献１に記載の発明の場合、異常を検出するためのセンサの他に、マイクロホンやカメラを設置し、異常検出時においては、マイクロホンやカメラを駆動させるようにしなければならない。このため、システム全体が大きなものとなってしまう。
【０００９】
また、特許文献２に記載の発明の場合には、基本的に電話装置に異常検出センサを設けるだけで、異常を検出した場合にこれを所定の通報先に通報できる信頼性の高い緊急通報システムを構築することができる。
【００１０】
しかしながら、特許文献２に記載の発明の場合、緊急通報システムの構築のための異常検出センサを電話装置に搭載するため、この電話装置を用いたシステムは、侵入者検知を前提とした電話システムとなってしまう。
【００１１】
以上のことに鑑み、発明は、専用のセンサなどを設けることなく、侵入者等の異常を検知して所定の通報先に通報できる信頼性の高い監視モードを備えた電話システムを構築できるようにする。
【課題を解決するための手段】
【００１２】
上記課題を解決するため、請求項１に記載の発明の電話システムは、
１以上の電話端末と、１以上の前記電話端末と通信網に接続された通信機器との間の接続を制御するサーバ装置とからなり、監視モードを備えた電話システムであって、
１以上の前記電話端末は、
監視モード時に周囲の音声を収音するマイクロホンと、
前記マイクロホンで収音された音声の音量レベルが閾値を超えたか否かを判別する判別手段と、
前記判別手段により前記音量レベルが閾値を超えたと判別された場合に、前記サーバ装置との間に通話回線を接続し、前記マイクロホンで収音される音声を前記サーバ装置に送信する収音音声送信手段と
を備え、
前記サーバ装置は、
監視モード時に前記電話端末との間に接続される通話回線を通じて送信されてくる収音音声を受信する受信手段と、
前記受信手段を通じて収音音声を受信した場合に、所定の監視先との間に通話回線を接続し、前記受信手段を通じて受信した前記収音音声を前記所定の監視先に送信する受信音声送信手段と
を備え、
１以上の前記電話端末の前記判別手段は、前記音量レベルが閾値を超えたと判別した場合に、前記閾値を下げて、判別感度を上げることを特徴とする。
【００１３】
この請求項１に記載の発明の電話システムによれば、１以上の電話端末においては、監視モード時にマイクロホンを通じて周囲の音声が収音され、この収音音声の音量レベルが閾値を超えたか否かが判別手段により判別される。そして、判別手段により、収音音声の音量レベルが閾値を超えたと判別された場合には、収音音声送信手段により、サーバ装置との間に通話回線が接続され、収音音声が当該通話回線を通じてサーバ装置に送信される。また、１以上の電話端末の判別手段は、音量レベルが閾値を超えたと判別した場合に、閾値を下げて、判別感度を上げる。
【００１４】
サーバ装置においては、接続された通話回線を通じて送信されてくる収音音声が受信手段により受信される。そして、受信音声送信手段により、所定の監視先との間に通話回線が接続され、受信した電話端末からの収音音声が当該通話回線を通じて所定の監視先に送信される。
【００１５】
これにより、所定の監視先においては、送信されてくる収音音声を担当者が聴取し、例えば、ガラスが割れる音や侵入者が移動する音などである場合には、即座に異常発生場所に急行することができるようにされる。これに対して、例えば、雷鳴や自動車のクラクションなどの音である場合には、異常発生とはしないようにすることができるようにされる。
【００１６】
したがって、電話端末に例えば人感センサなどの専用のセンサを設けることなく、侵入者等の異常を検知して所定の通報先に通報でき、かつ、異常の誤検出を防止することができる監視モードを備えた信頼性の高い電話システムを構築することができる。
【発明の効果】
【００１７】
この発明によれば、専用のセンサなどを設けることなく、侵入者等の異常を検知して所定の通報先に通報でき、しかも異常の誤検出を防止することができる信頼性の高い監視モードを備えた電話システムを構築することができる。
【図面の簡単な説明】
【００１８】
【図１】第１の実施の形態の電話システムの全体構成を説明するための図である。
【図２】第１の実施の形態の電話機（ＩＰ電話端末）の構成例を説明するためのブロック図である。
【図３】第１の実施の形態のセキュリティサーバ３の構成例を説明するためのブロック図である。
【図４】実施の形態の電話システムにおける監視モード時の異常音の検出態様の具体例について説明するための図である。
【図５】実施の形態の電話システムにおける監視モード時の異常音の検出態様の具体例について説明するための図である。
【図６】実施の形態の電話システムにおける監視モード時の異常音の検出態様の具体例について説明するための図である。
【図７】実施の形態の電話システムにおける監視モード時の異常音の検出態様の具体例について説明するための図である。
【図８】実施の形態の電話システムにおける監視モード時の異常音の検出態様の具体例について説明するための図である。
【図９】実施の形態の電話システムにおける監視モード時の異常音の検出態様の具体例について説明するための図である。
【図１０】図２に示した構成を有する電話機（ＩＰ電話端末）のセキュリティ情報メモリ１２２で管理される情報について説明するための図である。
【図１１】第１の実施の形態の電話システムにおいて、警備会社側で誤報であることを検知した場合の電話システムの動作パターンを説明するためのシーケンス図である。
【図１２】第１の実施の形態の電話システムにおいて、第１電話機が移行する場合の動作パターンについて説明するためのシーケンス図である。
【図１３】図１２に続くシーケンス図である。
【図１４】セキュリティ機能を実現するために必要となる各種の通知を、ＳＩＰに準拠した既存のコマンドを用いて行う場合の例について説明するための図である。
【図１５】セキュリティ機能を実現するために必要となる各種の通知を、ＳＩＰに準拠した既存のコマンドを用いて行う場合の例について説明するための図である。
【図１６】セキュリティ機能を実現するために必要となる各種の通知を、ＳＩＰに準拠した既存のコマンドを用いて行う場合の例について説明するための図である。
【図１７】セキュリティ機能を実現するために必要となる各種の通知を、ＳＩＰに準拠した既存のコマンドを用いて行う場合の例について説明するための図である。
【図１８】セキュリティ機能を実現するために必要となる各種の通知を、ＳＩＰに準拠した既存のコマンドを用いて行う場合の例について説明するための図である。
【図１９】セキュリティ機能を実現するために必要となる各種の通知を、ＳＩＰに準拠した既存のコマンドを用いて行う場合の例について説明するための図である。
【図２０】第１の実施の形態の電話システムの電話機Ａ〜Ｌにおいて行われる監視モード時の処理を説明するためのフローチャートである。
【図２１】図２０に続くフローチャートである。
【図２２】図２１に続くフローチャートである。
【図２３】第１の実施の形態の電話システムのセキュリティサーバ３において行われる監視モード時の処理を説明するためのフローチャートである。
【図２４】図２３に続くフローチャートである。
【図２５】第２の実施の形態の電話システムのセキュリティサーバ３Ｘの構成を説明するためのブロック図である。
【図２６】セキュリティサーバ３Ｘのセキュリティ情報メモリ３２０で管理される情報について説明するための図である。
【図２７】第２の実施の形態の電話システムにおいて、警備会社側で誤報であることを検知した場合の電話システムの動作パターンを説明するためのシーケンス図である。
【図２８】第２の実施の形態の電話システムにおいて、第１電話機が移行する場合の動作パターンについて説明するためのシーケンス図である。
【図２９】図２８に続くシーケンス図である。
【図３０】第２の実施の形態の電話システムの電話機Ａ〜Ｌにおいて行われる監視モード時の処理を説明するためのフローチャートである。
【図３１】図３０に続くフローチャートである。
【図３２】図３１に続くフローチャートである。
【図３３】第２の実施の形態の電話システムのセキュリティサーバ３Ｘにおいて行われる監視モード時の処理を説明するためのフローチャートである。
【図３４】図３３に続くフローチャートである。
【図３５】図３４に続くフローチャートである。
【図３６】図３５に続くフローチャートである。
【発明を実施するための形態】
【００１９】
以下、図を参照しながら、この発明による電話システムおよび当該システムを構成する電話端末、サーバ装置の一実施の形態について説明する。以下に説明する実施の形態においては、この発明を、例えば企業向けに提供されるＩＰ電話システムに適用した場合を例にして説明する。
【００２０】
［第１の実施の形態］
［実施の形態の電話システムの全体構成］
図１は、第１の実施の形態の電話システムの全体構成を説明するための図である。図１に示すように、この実施の形態の電話システムは、ＩＰ電話端末１（Ａ）〜１（Ｌ）のそれぞれがＬＡＮケーブル２を通じて接続されて構成されたものである。
【００２１】
また、この実施の形態の電話システムは、セキュリティサーバ３が接続されている。このセキュリティサーバ３は、詳しくは後述もするが、ＩＰ電話端末１（Ａ）〜１（Ｌ）のそれぞれと協働することによって、不在時の監視機能（セキュリティ機能）を実現するものである。
【００２２】
更に、この実施の形態の電話システムはＩＰ電話システムであるため、セキュリティサーバ３は、アドレス解決のためのＳＩＰ（Session Initiation Protocol）サーバとしての機能をも備えている。このため、図１において、セキュリティサーバ３のブロックには、ＳＩＰ対応であることを明記している。
【００２３】
ＩＰ電話端末１（Ａ）〜１（Ｌ）のそれぞれは、オフィス内に配置された多数の机のそれぞれの上に設置されているものである。これらＩＰ電話端末１（Ａ）〜１（Ｌ）のそれぞれは、同じ内線範囲内に属するものとして扱うことができるようにされる。
【００２４】
すなわち、セキュリティサーバ３に対してＬＡＮ接続されるＩＰ電話端末１（Ａ）〜１（Ｌ）は、従来のボタン電話システムを例に取れば、同じ主装置に接続される内線範囲内の電話端末に相当する。
【００２５】
セキュリティサーバ３は、図１に示したように、ＩＰ（Internet Protocol）網４に接続されている。なお、説明を簡単にするため、図１においては、図示しないが、セキュリティサーバ３は、公衆網にも接続するようにされている。
【００２６】
そして、詳しくは後述もするが、セキュリティサーバ３は、通信回線を接続する端末間のアドレス解決をするものである。このため、ＩＰ電話端末１（Ａ）〜１（Ｌ）のそれぞれは、内線、外線を問わず、セキュリティサーバ３を介して通話路（通話回線）が生成され、通話を行うことができるようにされる。
【００２７】
つまり、ＬＡＮケーブル２に接続されたＩＰ電話端末間で通話を行う場合も、また、ＬＡＮケーブル２に接続されたＩＰ電話端末とＩＰ網４や公衆網に接続された外部の電話端末との間で通話を行う場合も、セキュリティサーバ３を介して通話路（通話回線）が生成される。
【００２８】
そして、この実施の形態の電話システムは、各ＩＰ電話端末１（Ａ）〜１（Ｌ）が有するハンズフリー用のマイクロホンを通じて収音する音声の音量レベルの変化に基づいた監視機能（セキュリティ機能）を備えている。
【００２９】
すなわち、各ＩＰ電話端末１（Ａ）〜１（Ｌ）のそれぞれは、監視モード（セキュリティモード）とされた場合には、ハンズフリー用のマイクロホンを通じて周囲の音声の収音を開始する。
【００３０】
ＩＰ電話端末１（Ａ）〜１（Ｌ）のいずれかにおいて、閾値より大きな（高い（超えた））音量レベルの音声を収音すると、当該ＩＰ電話端末は、セキュリティサーバ３との間に通話路を接続し、収音音声をもセキュリティサーバ３に送信する。
【００３１】
セキュリティサーバ３は、ＩＰ電話端末からの収音音声を受信すると、所定の監視先との間に通話路を接続し、ＩＰ電話端末からの収音音声を当該所定の監視先（例えば警備会社の監視センター）に送信する。
【００３２】
これにより、所定の監視先において、担当者がＩＰ電話端末からの収音音声を聴取し、異常が実際に発生しているのか、発生しているとするとどんな異常が発生しており、どんな状態なのかを把握することができるようにされる。
【００３３】
そして、異常が発生している場合には、警備員を急行させたり、警察に通報したりするなどの対応を取ることができる。また、異常が発生していない場合、例えば、異常音が雷鳴や自動車のクラクションなどの場合には、セキュリティ機能をリセットして初期状態に戻すなどの対応を取ることができるようにしている。
【００３４】
なお、図１に示したＩＰ網４は、インターネットやイントラネットなどのインターネット技術が用いられ、ＴＣＰ／ＩＰ（Transmission Control Protocol/Internet Protocol）などが用いられてパケット交換により通信が可能なネットワークである。
【００３５】
また、図１には図示しないが、セキュリティサーバ３が接続される公衆網は、従来からのアナログ電話回線、ＩＳＤＮ（Integrated Services Digital Network）、光通信網などのアナログあるいはデジタルの公衆通信網を意味している。
【００３６】
また、ＬＡＮは、いわゆる構内ネットワークを意味し、図１においては、ＬＡＮケーブル２により（有線により）各端末等が接続される構成として説明した。しかし、有線接続に限るものではなく、無線接続でももちろんよいし、その複合型であってもよい。
【００３７】
また、この実施の形態のＬＡＮは、種々のプロトコルを用いるものが適用可能である。例えば、ＩＥＥＥ（Institute of Electrical Electronics Engineers）８０２．３（イーサネット（登録商標）型ＬＡＮ）、ＩＥＥＥ８０２．５（トークンリンク型ＬＡＮ）、ＩＥＥＥ８０２．１１、ＩＥＥＥ８０２．１１ｂ、ＩＥＥＥ８０２．１２、あるいはこれらの後継プロトコルや他のプロトコルなどを用いるＬＡＮであってももちろん良い。そして、この実施の形態のＬＡＮにおいても、パケット化されたデータが送受するようにされる。
【００３８】
なお、監視モード時において、セキュリティサーバ３は、警備会社以外からの着信については、例えば、拒否するなど、通常の応答処理は行わないようにしている。
【００３９】
［電話機（ＩＰ電話端末）の構成例］
次に、図１を用いて説明した第１の実施の形態のＩＰ電話システムを構成するＩＰ電話端末の構成例について説明する。図２は、第１の実施の形態のＩＰ電話端末の構成例を説明するためのブロック図である。
【００４０】
この実施の形態のＩＰ電話システムにおいて、ＩＰ電話端末１（Ａ）〜１（Ｌ）のそれぞれは、同じ構成を有するものとして説明する。このため、以下においては、ＩＰ電話端末１（Ａ）〜１（Ｌ）を総称する場合、電話機１ということとする。また、以下においては、ＩＰ電話端末１（Ａ）〜１（Ｌ）という記載に変えて、電話機１（Ａ）〜１（Ｌ）とう記載を用いる。
【００４１】
この実施の形態の電話機１は、図２に示すように、主に電話機能を実現する部分として、ＬＡＮ接続端子１０１、ＬＡＮインターフェース（以下、ＬＡＮＩ／Ｆという。）１０２、パケット処理部１０３、通話音声入出力インターフェース（以下、通話音声入出力Ｉ／Ｆという。）１０４、スイッチ回路１０５、ハンドセット接続端子１０６、ハンドセット１０７、ハンズフリー用マイクロホンおよびスピーカ部１０８、操作入力部１０９、操作入力インターフェース（以下、操作入力Ｉ／Ｆという。）１１０、ディスプレイコントローラ１１１、ディスプレイ１１２、リンガ１１３を備えている。
【００４２】
また、この実施の形態の電話機１は、図２に示すように、主にセキュリティ機能を実現する部分として、発報処理部１２１、セキュリティ情報メモリ１２２を備えている。
【００４３】
また、この実施の形態の電話機１は、各部を制御する制御部１３０を備えている。制御部１３０は、ＣＰＵ（Central Processing Unit）１３１、ＲＯＭ（Read Only Memory）１３２、ＲＡＭ（Random Access Memory）１３３が、ＣＰＵバス１３４を通じて接続されて構成されたマイクロコンピュータである。
【００４４】
ここで、ＣＰＵ１３１は、後述するＲＯＭ１３２に記憶保持されているプログラムを読み出して実行し、各部に供給する制御信号を形成してこれを各部に供給したり、また、各部から供給されるデータを処理したりするものである。
【００４５】
ＲＯＭ１３２は、上述のように、ＣＰＵ１３１で実行される種々のプログラムや処理に必要になる各種のデータが記憶保持されたものである。また、ＲＡＭ１３３は、処理の途中結果を一時記憶するなど、主に作業領域として用いられるものである。
【００４６】
［着信時の動作］
そして、ＬＡＮケーブル２を介して送信されてくるパケットデータは、ＬＡＮ接続端子１０１を通じてＬＡＮＩ／Ｆ１０２に供給され、ここで自機において処理可能な形式のデータに変換された後、ＣＰＵバスを介して、パケット処理部１０３に供給される。
【００４７】
パケット処理部１０３は、これにＬＡＮＩ／Ｆ１０２からのパケットデータが供給された場合には、当該パケットデータに含まれる制御データや音声データを分解して抽出する。ここで分解された制御データは制御部１３０に供給され、自機の制御に用いられる。また、自機（自端末）宛の音声データが含まれていた場合には、当該音声データは、ＣＰＵバス１３４を通じて通話音声入出力Ｉ／Ｆ１０４に供給されることになる。
【００４８】
パケット処理部１０３において分解されて抽出された制御データが、自機への着信メッセージである場合には、制御部１３０は、リンガ１１３を制御して、着信鳴動させる。同時に、制御部１３０は、ディスプレイコントローラ１１１を制御し、ディスプレイ１１２の表示画面に自機に着信があることを通知するメッセージや発呼先の電話番号や内線番号などを表示する。
【００４９】
ハンドセット１０７は、この実施の形態の電話機１の場合、従来からある電話端末と同様に、電話機１の本体に装着される。そして、ハンドセット１０７が電話機１に対して置かれた状態では電話機１はオンフック状態となり、ハンドセット１０７が電話機１から持ち上げられた状態では、電話機１はオフフック状態となるようにされている。
【００５０】
なお、この実施の形態の電話機１は、いわゆるハンズフリー機能を備えている。そして、後述もするが、操作入力部１０９に設けられているハンズフリーボタンを押下操作することにより、スイッチ回路１０５がハンズフリー用マイクロホンおよびスピーカ部１０８側に切り替えられる。
【００５１】
これにより、ハンドセット１０７を手に持つことなく、ハンズフリー用マイクロホンおよびスピーカ部１０８のマイクロホン１０８Ｍ、スピーカ１０８Ｓを通じて通話を行うことができるようにされる。
【００５２】
すなわち、この実施の形態の電話機１の場合、通常、スイッチ回路１０５は、ハンドセット１０７側に切り替えられており、ハンドセット１０７を通じて通話を行うことができるようにされる。
【００５３】
しかし、自機に着信があった場合や自機から発呼を行うようにする場合などにおいて、操作入力部１０９のハンズフリーボタンを押下操作することにより、スイッチ回路１０５がハンズフリー用マイクロホンおよびスピーカ部１０８側に切り替えられる。
【００５４】
これにより、ハンドセット１０７を電話機１から持ち上げることなく、ハンズフリー用マイクロホン１０８Ｍ、スピーカ１０８Ｓを通じて通話を行うことができるようにされる。
【００５５】
このように、この実施の形態の電話機１は、ハンズフリー機能を有するものであるが、ここでは説明を簡単にするため、ハンドセット１０７を用いて通話を行う場合を例にして、電話機１の動作を説明する。
【００５６】
そして、自機への着信に応じて、ユーザーがハンドセット１０７を電話機１の本体から持ち上げると、当該電話機１はオフフック状態となる。制御部１３０は、自機への着信に応じてオフフック状態にされると、着信に応答するメッセージを形成し、これをパケット処理部１０３においてパケット化して、ＬＡＮＩ／Ｆ１０２に供給する。
【００５７】
ＬＡＮＩ／Ｆ１０２は、着信に応答するための当該パケットデータを送信用のパケットデータに変換し、これをＬＡＮ接続端子１０１を通じてＬＡＮケーブル２に送出し、発呼先の端末に送信する。
【００５８】
これにより発呼先との間において、通信路が生成され、通話が開始される。この場合、相手先からのパケット化された音声データは、上述もしたように、ＬＡＮ接続端子１０１、ＬＡＮＩ／Ｆ１０２を通じて受け付けられ、パケット処理部１０３に供給される。そして、パケット処理部１０３においてパケット分解され、制御データは、制御部１３０に、また、音声データは通話音声入出力Ｉ／Ｆ１０４に供給される。
【００５９】
通話音声入出力Ｉ／Ｆ１０４は、パケット処理部１０３からの音声データから自機のハンドセット１０７のスピーカ（受話器）に供給するアナログ音声信号を形成する。そして、通話音声入出力Ｉ／Ｆ１０４は、形成したアナログ音声信号を、スイッチ回路１０５およびハンドセット接続端子１０６を通じてハンドセット１０７のスピーカに供給する。これにより、相手先から送信されてくる相手先の音声が、ハンドセット１０７のスピーカ（受話器）から放音される。
【００６０】
一方、ハンドセット１０７のマイクロホン（送話器）によって集音された音声は、ここで電気信号に変換され、ハンドセット接続端子１０６およびスイッチ回路１０５を通じて通話音声入出力Ｉ／Ｆ１０４に供給される。通話音声入出力Ｉ／Ｆ１０４は、ハンドセット１０７からの音声データをデジタル信号に変換するなどの処理を行って、これをパケット処理部１０３に供給する。
【００６１】
パケット処理部１０３は、通話音声入出力Ｉ／Ｆ１０４からの音声データを含む相手先への送信用のパケットデータを形成し、これをＬＡＮＩ／Ｆ１０２、ＬＡＮ接続端子１０１を通じてＬＡＮケーブル２に送出し、通信の相手先に送信する。
【００６２】
これにより、電話機１は、自機にかかって来た着信に応答し、発呼先との間で通信路を生成して通話を行うことができる。
【００６３】
［発呼時の動作］
次に、当該電話機１から電話をかける場合（発呼する場合）の処理について説明する。上述もしたように、この実施の形態の電話機１は、ハンズフリー機能を備えている。このため、発呼に際し、ハンズフリーボタンを押下操作することにより、スイッチ回路１０５をハンズフリー用マイクロホンおよびスピーカ部１０８側に切り替えて発呼を行い、ハンズフリー用マイクロホンおよびスピーカ部１０８を通じて通話を行うようにすることもできる。
【００６４】
しかし、ここでは説明を簡単にするため、ハンドセット１０７を用いて通話を行う場合を例にして、電話機１の動作を説明する。
【００６５】
電話機１から発呼する場合には、まず、ハンドセット１０７を電話機１の本体から持ち上げて、電話機１をオフフック状態にし、操作入力部１０９を通じて通信の相手先の電話番号、あるいは、内線番号を入力する。ここで入力された情報は、操作入力Ｉ／Ｆ１１０を通じて制御部１３０に供給される。
【００６６】
すると、制御部１３０は、発呼メッセージを形成し、これをパケット処理部１０３に供給する。パケット処理部１０３は、自機からの発呼メッセージをパケット化し、これをＬＡＮＩ／Ｆ１０２、ＬＡＮ接続端子１０１を通じてＬＡＮケーブル２に送出し、目的とする通信の相手先に送信するようにする。
【００６７】
この後、目的とする相手先からの応答が返信されてきた場合に通信路を生成する。これにより、ＬＡＮ接続端子１０１、ＬＡＮＩ／Ｆ１０２、パケット処理部１０３、通話音声入出力Ｉ／Ｆ１０４、スイッチ回路１０５、ハンドセット接続端子１０６、ハンドセット１０７からなる通話系の機能により通話を行うことができるようにされる。
【００６８】
このように、電話機１は、自機から目的とする端末には発呼して、相手先との間に通信回線を接続して通話を行うこともできる。
【００６９】
［セキュリティ機能時の動作］
次に、この実施の形態の電話システムが有するセキュリティ機能を用いる場合の電話機１の動作について説明する。詳しくは後述もするが、電話機１は、セキュリティサーバ３からセキュリティ開始通知を受信すると監視モード（セキュリティモード）となる。
【００７０】
監視モードとなると、電話機１の制御部１３０は、スイッチ回路１０５をハンズフリー用マイクロホンおよびスピーカ部１０８側に切り替える。そして、ハンズフリー用マイクロホン１０８Ｍを通じて周囲の音声を収音し、収音した音声の音量レベルが予め設定される閾値を超えたか否かの判別処理を開始する。
【００７１】
すなわち、監視モード時においては、スイッチ回路１０５が切り替えられ、ハンズフリー用マイクロホン１０８Ｍにより収音される音声が、順次に通話音声入出力Ｉ／Ｆ１０４を通じて制御部１３０に供給される。
【００７２】
制御部１３０は、通話音声入出力Ｉ／Ｆ１０４を通じて順次に供給されるハンズフリー用マイクロホン１０８Ｍからの収音音声の音量レベルを検出し、当該音量レベルが所定の閾値を超えたか否かを判断する。この判断処理は、収音音声の音量レベルの急な変化も適切に検出できるように、監視モードである間において、比較的に短い間隔で繰り返し行うようにされる。
【００７３】
そして、詳しくは後述もするが、ハンズフリー用マイクロホン１０８Ｍからの収音音声の音量レベルが閾値を超えたと判断した場合、制御部１３０は、自機を第１電話機（異常を最もよく検出している電話機）として認識する。
【００７４】
そして、当該電話機１の制御部１３０は、発報処理部１２１を制御して、セキュリティサーバ３に対する発信メッセージを形成し、これをパケット処理部１０３に供給する。
【００７５】
パケット処理部１０３は、これに供給された発信メッセージをパケット化し、これをＬＡＮＩ／Ｆ１０２、ＬＡＮ接続端子１０１を通じてＬＡＮケーブル２に送出し、セキュリティサーバ３に送信する。
【００７６】
これに応じてセキュリティサーバ３は着信応答を返信してくるので、電話機１は、セキュリティサーバ３との間に通話路（通話回線）を接続する。そして、ハンズフリー用マイクロホン１０８Ｍを通じて収音される音声（収音音声）を、接続した通話路を通じてセキュリティサーバ３に送信する処理を開始する。
【００７７】
そして、後述もするが、セキュリティサーバ３は、例えば警備会社などの所定の監視先との間に通話路（通話回線）を接続し、電話機１から送信されてくる収音音声を送信して、当該監視先において、収音音声を担当者が聴取することができるようにしている。
【００７８】
当該監視先の担当者は、送信されてくる収音音声を聴取することにより、侵入者等の異常が本当に発生しているのか否か、異常が発生している場合にはどんな状態なのかを把握することができる。
【００７９】
また、この実施の形態の電話機１は、セキュリティ情報メモリ１２２に、自機のハンズフリー用マイクロホン１０８Ｍからの収音音声の音量レベルが閾値を超えた場合に、これを通知する周囲の他の電話機を特定する情報、例えばＩＰアドレスや内線番号を保持している。
【００８０】
そして、上述もしたように、収音音声の音量レベルが閾値を超えた場合に、セキュリティ情報メモリ１２２の情報に従って、周囲の予め決められた他の電話機に異常の発生を通知する。異常の発生が通知された電話機は、自機が第１電話機になる可能性の高い候補電話機であることを認識し、収音音声の音量レベルの閾値を下げ、異常が発生したか否かの判別感度を上げるようにする。
【００８１】
もちろん、周囲の電話機に異常の発生を通知した第１電話機であると認識している電話機１末自身も、収音音声の音量レベルの閾値を下げ、異常が発生したか否かの判別感度を上げるようにする。
【００８２】
そして、音量レベルが一番高い収音音声を収音している電話機１が、新たな第１電話機（異常を最もよく検出している電話機）となり、セキュリティサーバ３に収音音声を送信する電話機となる。
【００８３】
また、新たに第１電話機となった電話機１もまた、セキュリティ情報メモリ１２２の情報に従って、周囲の予め決められた他の電話機に異常の発生を通知する。そして、それまで第１電話機であった電話機１は、異常の発生の通知を受けて候補電話機となるようにされる。
【００８４】
このように、この実施の形態の電話機１は、監視モードとされるとハンズフリー用マイクロホン１０８Ｍを通じて周囲の音声を収音し、侵入者が立てる異常音を検知し、セキュリティサーバ３を通じて所定の監視先に収音音声を送信することができるものである。
【００８５】
さらに、この実施の形態の電話機１は、最もレベルが高い収音音声を収音している電話機１が、異常を最もよく検知している第１電話機となり、セキュリティサーバ３に対して収音音声を送信する電話機となるようにしている。
【００８６】
［セキュリティサーバの構成例］
次に、図１を用いて説明した第１の実施の形態のＩＰ電話システムで用いられるセキュリティサーバ３の構成例について説明する。図３は、第１の実施の形態のセキュリティサーバ３の構成例を説明するためのブロック図である。
【００８７】
上述もしたように、この実施の形態のセキュリティサーバ３は、自機に接続された電話機１と協働することによってセキュリティ機能を実現すると共に、いわゆるＳＩＰサーバとしの機能を備え、内線、外線の接続制御をも行うことができるものである。
【００８８】
以下、この実施の形態のセキュリティサーバ３について説明する。図１にも示し、また、図３にも示すように、セキュリティサーバ３は、電話機１（Ａ）〜１（Ｌ）のそれぞれとＬＡＮケーブル２を通じて接続されていると共に、ＩＰ網４にも接続されている。
【００８９】
そして、セキュリティサーバ３は、いわゆるＳＩＰサーバが実現する機能であるレジストラ・サーバ機能とプロキシ・サーバ機能とを備えたものである。すなわち、セキュリティサーバ３は、レジストラ・サーバ機能により、ＩＰ網４、あるいは、ＩＰ網４とＬＡＮ２とを通じて呼び出す可能性のある端末装置についてのアドレス情報を管理することができるものである。
【００９０】
また、セキュリティサーバ３は、プロキシ・サーバ機能により、自機に接続された電話機１からのＳＩＰメッセージを受け取った場合に、このＳＩＰメッセージをレジストラ・サーバ機能により管理されているアドレス情報に基づいて、適切なＩＰアドレスを有する相手先に転送することができるものである。
【００９１】
また、セキュリティサーバ３は、自機に接続される電話機１についてのアドレス情報をも管理し、自機に接続される電話機１からの発呼（発信）及び自機に接続される電話機１への着呼（着信）をそのまま中継するようにする機能をも有し、１つのＩＰ電話システムにおける親機としての機能をも実現するものである。
【００９２】
このように、セキュリティサーバ３は、いわゆる呼の管理をも行うことができるものである。したがって、この実施の形態のセキュリティサーバ３は、従来のボタン電話システムの主装置のように、自機に接続される子機としての各電話機１への通信情報の割り振りや管理、あるいは、自機に接続された子機としての各電話機１に対する細かな制御などは行わないものである。
【００９３】
そして、図３に示すように、セキュリティサーバ３は、呼制御用メモリ３０１、呼制御用パケット生成部３０２、パケット処理部３０３、ＬＡＮ接続端子３０４、内線インターフェース（以下、内線Ｉ／Ｆという。）３０５、外線インターフェース（以下、外線Ｉ／Ｆという。）３０６、ＩＰ網接続端子３０７、タイマ３０８、録音メモリ３０９を備えている。
【００９４】
また、セキュリティサーバ３は、各部を制御する制御部３１０を備えている。制御部３１０は、ＣＰＵ３１１、ＲＯＭ３１２、ＲＡＭ３１３が、ＣＰＵバス３１４を通じて接続されて構成されたマイクロコンピュータである。
【００９５】
ここで、ＣＰＵ３１１は、後述するＲＯＭ３１２に記憶保持されているプログラムを読み出して実行し、各部に供給する制御信号を形成してこれを各部に供給したり、また、各部から供給されるデータを処理したりするものである。
【００９６】
ＲＯＭ３１２は、上述のように、ＣＰＵ３１１で実行される種々のプログラムや処理に必要になる各種のデータが記憶保持されたものである。また、ＲＡＭ３１３は、処理の途中結果を一時記憶するなど、主に作業領域として用いられるものである。
【００９７】
そして、呼制御用メモリ３０１は、上述したレジストラ・サーバ機能を実現するために、ＩＰ網４やＬＡＮケーブル２に接続され、このセキュリティサーバ３を通じて呼び出す可能性のある電話機１についてのアドレス情報を記憶保持するものである。
【００９８】
具体的には、セキュリティサーバ３の制御部３１０は、後述もするように、内線Ｉ／Ｆ３０５や外線Ｉ／Ｆ３０６を通じて、これらに接続されている種々の端末装置からの登録要求（レジスタ・リクエスト）を受信した場合に、これに含まれるＵＲＩ（Uniform Resource Identifier）やＩＰアドレスなどのアドレス情報を抽出し、抽出したアドレス情報を呼制御用メモリ３０１に登録したり、抽出アドレス情報を用いて呼制御用メモリ３０１の登録情報を更新したりする。
【００９９】
このようにして、呼制御用メモリ３０１に登録されて管理される情報が参照され、後述もするように、自機の子機から要求のあった通信先を確実に特定し、その特定した相手先に送信すべき情報（パケットデータ）を転送するようにするプロキシ・サーバとしての機能を実現するようにしている。また、呼制御用メモリ３０１に登録されて管理される情報は、自機に接続された電話機１（Ａ）〜１（Ｌ）への着信の判別などにも用いられる。
【０１００】
また、呼制御用パケット生成部３０２は、セキュリティサーバ３にＬＡＮ接続された電話機１（Ａ）〜１（Ｌ）からの発呼要求に応じて、呼制御用メモリ３０１の情報に基づいて決まる相手先に送信する発呼用パケットを生成して、当該相手先に送信するものである。
【０１０１】
また、呼制御用パケット生成部３０２は、ＩＰ網４などを通じて送信されてくる、セキュリティサーバ３にＬＡＮ接続された電話機１（Ａ）〜１（Ｌ）への着呼要求に応じて、呼制御用メモリ３０１の情報に基づいて決まる自機に接続された電話機１に送信する着呼用パケットを生成して、自機に接続された電話機１に送信するものである。
【０１０２】
また、パケット処理部３０３は、パケットデータの分解や生成を行うものである。具体的には、セキュリティサーバ３に対して、ＬＡＮ接続されている電話機１（Ａ）〜１（Ｌ）からの発呼用パケットや、ＩＰ網４を通じて接続されている端末装置からの電話機１（Ａ）〜１（Ｌ）への着呼用パケットなどの制御用パケットは、ここでパケット分解されて制御データが抽出され、制御部３１０に供給される。
【０１０３】
また、上述もしたように、図１、図３には図示しないが、セキュリティサーバ３は、公衆網にも接続されており、セキュリティサーバ３に対して、ＬＡＮ接続されている電話機１（Ａ）〜１（Ｌ）から公衆網に接続された電話端末への情報は、パケット処理部３０３においてパケット分解された後に、公衆網に送出るようにされる。また、公衆網を通じて受け付けた電話機１（Ａ）〜１（Ｌ）への情報は、パケット処理部３０３においてパケット化されて、ＬＡＮ接続されている電話機１（Ａ）〜１（Ｌ）に送信するようにされる。
【０１０４】
また、タイマ３０８は、現在年月日、現在曜日、現在時刻を提供する機能を実現すると共に、制御部３１０を通じて目的とする時刻の設定を受け付けて、当該設定時刻が到来した場合にこれを制御部３１０に通知する機能等、電子機器におけるいわゆるタイマ機能を実現するものである。
【０１０５】
また、録音メモリ３０９は、上述もしたように、監視モード時において異常音を検出した電話機１から送信されてくる収音音声が記録されるメモリである。この録音メモリ３０９に録音された集音音声が、後述もするように、外線Ｉ／Ｆ３０６、ＩＰ網接続端子３０７を通じて、警備会社などの所定の監視先に送信するようにされる。
【０１０６】
このように、電話機１からの収音音声を録音メモリ３０９にバッファしてから送信するようにすることによって、電話機１で検出した異常音を確実に受信し、これを漏らすことなく所定の監視先に送信することができるようにしている。
【０１０７】
［ＬＡＮケーブル２に接続された電話機からの発呼時の動作］
そして、ＬＡＮケーブル２を介して送信されてくる電話機１（Ａ）〜１（Ｌ）からの発呼メッセージのパケットデータは、ＬＡＮ接続端子３０４を通じて内線Ｉ／Ｆ３０５に供給され、ここで自機において処理可能な形式のパケットデータに変換されて、制御部３１０に供給される。
【０１０８】
制御部３１０は、当該内線Ｉ／Ｆ３０５からのパケットデータが、発呼用のパケットデータである場合には、これをパケット処理部３０３に供給してパケット分解し、パケット処理部３０３を通じて必要な制御データを取得する。
【０１０９】
そして、制御部３１０は、呼制御用パケット生成部３０２を制御し、目的とする発呼先に送信する発呼用パケットを生成するようにする。呼制御用パケット生成部３０２は、上述もしたように、呼制御用メモリ３０１の情報を用いて、目的とする発呼先を特定し、当該目的とする発呼先に送信する発呼用パケットを生成する。
【０１１０】
そして、当該発呼用パケットが、ＩＰ網に接続された電話端末に対するものである場合には、呼制御用パケット生成部３０２は、当該発呼用パケットを外線Ｉ／Ｆ３０６に供給する。
【０１１１】
外線Ｉ／Ｆ３０６は、ＣＰＵバス３１４を通じて供給されたパケットデータを、ＩＰ網４に送出する形式に変換し、これをＩＰ網接続端子３０７を通じて、ＩＰ網４に送出する。これにより、目的とする発呼先に当該発呼用パケットが送信される。
【０１１２】
そして、当該発呼先から応答が帰ってきた場合に、当該発呼先との間に通信路が生成され、ＩＰ網４上の電話端末と、ＬＡＮケーブル２に接続された電話機１との間で通話が行うようにされる。
【０１１３】
また、ＬＡＮケーブル２に接続された電話機１（Ａ）〜１（Ｌ）からの発呼用パケットが、ＬＡＮケーブル２に接続された他の電話機に対するものである場合には、呼制御用パケット生成部３０２は、当該発呼用パケットを内線Ｉ／Ｆ３０５に供給する。
【０１１４】
内線Ｉ／Ｆ３０５は、ＣＰＵバス３１４を通じて供給されたパケットを、ＬＡＮケーブル２に送出する形式に変換し、これをＬＡＮ接続端子３０４を通じて、ＬＡＮケーブル２に送出する。これにより、目的とする発呼先に当該発呼用パケットが送信される。
【０１１５】
そして、当該発呼先から応答が帰ってきた場合に、当該発呼先との間に通信路が生成され、ＬＡＮケーブル２に接続された電話機間において、通話が行うようにされる。
【０１１６】
［ＬＡＮケーブル２に接続された電話機への着信時の動作］
また、ＩＰ網４を介して送信されてくるＩＰ網４に接続された電話端末からのパケットデータは、ＩＰ網接続端子３０７を通じて外線Ｉ／Ｆ３０６に供給され、ここで自機において処理可能な形式のパケットデータに変換されて、制御部３１０に供給される。
【０１１７】
制御部３１０は、当該外線Ｉ／Ｆ３０６からのパケットデータが、自機に接続された電話機の着呼用パケットである場合には、これをパケット処理部３０３に供給してパケット分解し、パケット処理部３０３を通じて必要な制御データを取得する。
【０１１８】
そして、制御部３１０は、呼制御用パケット生成部３０２を制御し、目的とする着呼先に送信する着呼用パケットを生成するようにする。呼制御用パケット生成部３０２は、上述もしたように、呼制御用メモリ３０１の情報を用いて、目的とする着呼先を特定し、当該目的とする着呼先に送信する着呼用パケットを生成する。
【０１１９】
そして、呼制御用パケット生成部３０２は、当該着呼用パケットを内線Ｉ／Ｆ３０５に供給する。内線Ｉ／Ｆ３０５は、ＣＰＵバス３１４を通じて供給されたパケットデータを、ＬＡＮケーブル２に送出する形式に変換し、これをＬＡＮ接続端子３０４を通じて、ＬＡＮケーブル２に送出する。これにより、目的とする着呼先に当該着呼用パケットが送信される。
【０１２０】
そして、当該着呼先から応答が帰ってきた場合に、発呼元との間に通信路が生成され、発呼元の端末と、ＬＡＮケーブル２に接続された着信先の電話機との間において、通話が行うようにされる。
【０１２１】
なお、ＩＰ網４に接続された端末装置と、セキュリティサーバ３にＬＡＮ接続された電話機１（Ａ）〜１（Ｌ）との間の外線通信では、また、セキュリティサーバ３にＬＡＮ接続された電話機同士の内線通信においても、パケットデータが送受される。
【０１２２】
このため、通信回線が接続するようにされ、実際に通話が行うようにされた場合には、パケット処理部３０３において、パケットの分解や生成は行われることはなく、外線Ｉ／Ｆ３０６、内線Ｉ／Ｆ３０５において、データ形式が整えられてそのまま送受するようにされる。
【０１２３】
なお、上述もしたように、この実施の形態の電話システムのセキュリティサーバ３は、公衆網にも接続されており、ＩＰ網に接続された端末装置との間だけでなく、公衆網に接続された端末装置との間においても通信回線を接続するようにして、通話を行うことができるようにすることができるものである。
【０１２４】
この場合、上述もしたように、公衆網からのデータは、パケット処理部３０３においてパケット化されてＬＡＮケーブル２に送出され、公衆網に送出するデータは、パケット処理部３０３においてパケット分解されて送出するようにされる。
【０１２５】
このように、この実施の形態のセキュリティサーバ３は、セキュリティサーバ３が接続される種々のネットワークに接続される端末間のメッセージの中継を行うことができるものである。
【０１２６】
［セキュリティ機能時の動作］
そして、上述もしたように、この実施の形態の電話システムにおいては、セキュリティサーバ３とこれに接続された電話機１（Ａ）〜１（Ｌ）と協働することにより、セキュリティ機能を実現するようにしている。
【０１２７】
例えば、この実施の形態のセキュリティサーバ３の制御部３１０は、監視モードへの移行イベントの発生を検知すると、セキュリティサーバ３が監視モードになると共に、自機に接続された全ての電話機を監視モードに遷移させるようにする。
【０１２８】
具体的に、セキュリティサーバ３の制御部３１０は、パケット処理部３０３を制御し、当該セキュリティサーバ３に接続されている全ての電話機に対するセキュリティ開始通知パケットを形成する。
【０１２９】
パケット処理部３０３で形成されたセキュリティ開始通知パケットは、制御部３１０の制御により、内線Ｉ／Ｆ３０５、ＬＡＮ接続端子３０４、ＬＡＮケーブル２を通じて、電話機１（Ａ）〜１（Ｌ）のそれぞれに送信される。
【０１３０】
これにより、セキュリティサーバ３に接続された電話機１（Ａ）〜１（Ｌ）のそれぞれも、監視モードに遷移し、電話システム全体が監視モードとなるようにされる。
【０１３１】
なお、監視モードへの移行イベントは、タイマ３０８に予め設定された時刻が到来した場合（例えば、午後１１時になったことがタイマ３０８で検知された場合など）、あるいは、自機に接続された電話機１（Ａ）〜１（Ｌ）の内のいずれからか送信されてくる監視モードへの移行要求を受信した場合などである。
【０１３２】
この実施の形態の電話システムが監視モードとなった後、セキュリティサーバ３の制御部３１０は、ＬＡＮ接続端子３０４、内線Ｉ／Ｆ３０５を通じて順次に供給されるパケットが、自機に接続された電話機１からの収音音声パケットであると判別したとする。この判別は、パケットのヘッダ部分の情報等により判別することができる。
【０１３３】
この場合、制御部３１０は、順次に受信するパケットをパケット処理部３０３に供給して分解し、音声データを取り出し、この取り出した音声データを録音メモリ３０９に一時記憶するようにする。
【０１３４】
この後、制御部３１０は、上述もしたように、呼制御用パケット生成部３０２、外線Ｉ／Ｆ３０６を制御し、警備会社などの所定の監視先に発呼して通話路を接続する。そして、制御部３１０は、録音メモリ３０９に一時記憶するようにしている音声データを記録した順に読み出し、パケット処理部３０３でパケット化して、外線Ｉ／Ｆ３０６、ＩＰ網接続端子３０７を通じてＩＰ網に送出し、所定の監視先に送信する。
【０１３５】
このようにして、セキュリティサーバ３は、電話システムが監視モードとなった後、自機に接続された電話機１からの収音音声を受け付けて、これを所定の監視先に送信することができるようにしている。
【０１３６】
［監視モード時の異常音の検出態様の具体例］
次に、第１の実施の形態の電話システムにおける監視モード時の異常音の検出態様の具体例について説明する。図４〜図９は、この実施の形態の電話システムにおける監視モード時の異常音の検出態様の具体例について説明するための図である。
【０１３７】
この実施の形態の電話システムは、図２を用いて説明した構成を有する電話機１と図３を用いて説明した構成を有するセキュリティサーバ３とが図１に示したように接続されて形成されているとする。
【０１３８】
そして、図１に示したように接続される電話機１（Ａ）〜１（Ｌ）のそれぞれは、図４Ａに示したように、文字Ａ〜Ｌで示された１２個の机が配置された部屋の各机の上に１台ずつ配置されているものとする。
【０１３９】
具体的には、電話機１（Ａ）は机Ａの上に、電話機１（Ｂ）は机Ｂの上にと言うように、机Ａ〜Ｌのそれぞれには、添え字が対応する電話機１（Ａ）〜１（Ｌ）が配置するようにされているものとする。
【０１４０】
このため、以下においては説明を簡単にするため、図１に示したＩＰ電話システムにおける電話機１（Ａ）〜電話機１（Ｌ）のそれぞれを、単に、電話機Ａ〜電話機Ｌと言うように、その配置位置に応じたアルファベット「Ａ」〜「Ｌ」によって区別することとする。
【０１４１】
そして、この実施の形態の電話システムにおいては、電話機毎に侵入者検知通知範囲を設けるようにする。このため、図４Ａに示したように、机Ａ〜Ｌに対応して配置される電話機Ａ〜Ｌの配置位置を、予め図４Ｂに示すように所定の大きさの方眼を有する方眼紙上に実際の配置間隔に応じて記載して、電話機毎に侵入者検知通知範囲を設定する。
【０１４２】
図４Ｂに示した例の場合の方眼紙の方眼は、実際に電話機が配置される部屋において、例えば、１辺が３０ｃｍの正方形のエリアに、あるいは、１辺が５０ｃｍの正方形のエリアにと言うように、所定の大きさのエリアに対応するものとなるようにされる。
【０１４３】
以下において、電話機の配置位置が示すようにされた方眼紙上の方眼は、電話機が配置される部屋における１辺が５０ｃｍの正方形のエリアに対応するものとして説明する。
【０１４４】
そして、この実施の形態の電話システムにおいては、詳しくは後述もするが、セキュリティサーバ３からのセキュリティ開始通知によって、同じ部屋に配設された電話機Ａ〜電話機Ｌの全部が、監視モード（セキュリティモード）となるようにされる。
【０１４５】
すなわち、図５Ａに示すように、同じ部屋に配設される電話機Ａ〜Ｌのそれぞれは、単独で監視モードとなることは無い。同じ部屋に配設される電話機Ａ〜Ｌのそれぞれは、図５Ｂにおいて斜線で示すように、セキュリティサーバ３からの通知に応じて、ほぼ同じタイミングで一斉に監視モードになるようにされる。
【０１４６】
そして、上述もしたように、この実施の形態の電話システムにおいては、各電話機が監視モードとなった後に、異常を最もよく検出している電話機が第１電話機となる。また、第１電話機の周囲の所定の侵入者検知通知範囲の電話機が次に第１電話機となる可能性の高い候補電話機となるようにしている。
【０１４７】
なお、電話機Ａ〜Ｌのそれぞれが有するハンズフリー用マイクロホン１０８Ｍの性能（収音性能）に基づいて、電話機毎に、侵入者検知通知範囲を有するようにされる。この実施の形態の電話システムにおいては、図５に示したような方眼紙上において、各電話機の設置位置の方眼部分を基準にして、上下左右に方眼３つ分はなれた位置を４辺とする範囲が侵入者検知通知範囲とされる。
【０１４８】
これは、実際の部屋においては、電話機が設置された位置を中心として、１辺が３．５ｍの正方形の範囲とされるが、壁等で遮断される部分は当該壁等の遮断物部分までの範囲とされる。
【０１４９】
具体的に、侵入者が発生し、異常音を検知した場合の例について説明する。この実施の形態において、電話システムを構成する電話機Ａ〜Ｌが配置される部屋は、図４Ａに示したように、図４Ａおいて下側に出入り口となるドアがあり、左側と上側は壁であり、右側には窓があるものとする。
【０１５０】
そして、電話機Ａ〜Ｌのそれぞれが監視モードとされた後、図６に示すように、電話機Ａ〜Ｌが配置された部屋のドアから侵入者が侵入し、侵入者の立てた音が、ドア近傍の電話機Ｃにおいて閾値より大きな音量レベルの収音音声として検出されたとする。
【０１５１】
この場合、図６に示すように、太線で囲んで示した電話機Ｃが第１電話機となり、電話機Ｃは、自機を基準とする所定の侵入者検知通知範囲内の他の電話機に対して侵入者検知通知を送信する。
【０１５２】
ここで、電話機Ｃの侵入者検知通知範囲は、図６等の方眼紙上においては、電話機Ｃの設置位置の方眼部分を基準にして、上下左右に方眼３つ分はなれた位置を４辺とする範囲である。
【０１５３】
しかし、図６において、電話機Ｃの設置位置の左側と下側には、方眼３個分を確保可能なエリアは存在しない。このため、電話機Ｃは、図７において太線で示した侵入者検知通知範囲Ａｒ１を自己の侵入者検知範囲とする。
【０１５４】
このため、電話機Ｃは、自己の侵入者検知通知範囲Ａｒ１に属する電話機Ｂ、電話機Ｅ、電話機Ｆに対して、侵入者検知通知を行なう。侵入者検知通知を受信した電話機Ｂ、電話機Ｅ、電話機Ｆは、第１電話機になる可能性の高い候補電話機となる。
【０１５５】
そして、候補電話機となった電話機Ｂ、電話機Ｅ、電話機Ｆにおいては、収音音声が所定の閾値を超えたか否かを判別するための当該所定の閾値を、監視モード時の通常の閾値よりも低い、候補電話機となった場合の閾値に下げて判別感度を上げるようにする。
【０１５６】
また、第１電話機である電話機Ｃ自体も、収音音声が所定の閾値を超えたか否かを判別するための当該所定の閾値を、監視モード時の通常の閾値よりも低い、第１電話機となった場合の閾値に下げて判別感度を上げるようにする。
【０１５７】
なお、ここでは、候補電話機となった場合の閾値と第１電話機となった場合の閾値とは例えば同じであるものとする。しかし、必要に応じて、異ならせるようにすることも可能である。
【０１５８】
さらに、第１電話機である電話機Ｃは、図７に示したように、セキュリティサーバ３との間に通話路を接続し、ハンズフリー用マイクロホン１０８Ｍにより収音される音声を、セキュリティサーバ３に送信する。
【０１５９】
そして、詳しくは後述もするが、セキュリティサーバ３は、所定の監視先との間に通話路を接続し、電話機Ｃからの収音音声を順次に送信し、当該所定の監視先において、電話機Ｃからの収音音声のモニタリングを行うことができるようにされる。
【０１６０】
この後、図８に示すように、侵入者が電話機Ｆの近傍まで移動したために、侵入者の発生させた音が電話機Ｆにおいて閾値より大きな音量レベルの収音音声として検出されたとする。この場合、電話機Ｆは、当該収音音声の音量レベルを、この時点において第１電話機である電話機Ｃに内線回線を通じて送信する。
【０１６１】
電話機Ｃは、電話機Ｆからの音量レベルと、自機で収音している音声の音量レベルとを比較する。そして、自機の収音音声の音声レベルの方が高い場合には、電話機Ｃは第１電話機のままとなる。
【０１６２】
しかし、電話機Ｆからの音量レベルが高い場合には、電話機Ｃは、電話機Ｆに対して第１電話機移行通知を、内線回線を通じて送信し、電話機Ｃから電話機Ｆに第１電話機を移行するようにする。
【０１６３】
この場合、図９に示すように、太線で囲んで示した電話機Ｆが新たな第１電話機となる。そして、電話機Ｆは、自機を基準とする所定の侵入者検知通知範囲内の他の電話機に対して侵入者検知通知を送信する。
【０１６４】
ここで、電話機Ｆの侵入者検知通知範囲は、図９等の方眼紙上においては、電話機Ｆの設置位置の方眼部分を基準にして、上下左右に方眼３つ分はなれた位置を４辺とする範囲である。
【０１６５】
しかし、図９等の方眼紙上において、電話機Ｆの設置位置の下側には、方眼３個分を確保可能なエリアは存在しない。このため、電話機Ｆは、図９において太線で示した侵入者検知通知範囲Ａｒ２を自己の侵入者検知範囲とする。
【０１６６】
このため、電話機Ｆは、自己の侵入者検知通知範囲Ａｒ２に属する電話機Ａ、電話機Ｂ、電話機Ｃ、電話機Ｅ、電話機Ｇ、電話機Ｈ、電話機Ｉに対して、侵入者検知通知を行なう。侵入者検知通知を受信した電話機Ａ、電話機Ｂ、電話機Ｃ、電話機Ｅ、電話機Ｇ、電話機Ｈ、電話機Ｉは、第１電話機になる可能性の高い候補電話機となる。
【０１６７】
そして、候補電話機となった電話機Ａ、電話機Ｂ、電話機Ｃ、電話機Ｅ、電話機Ｇ、電話機Ｈ、電話機Ｉにおいては、収音音声が所定の閾値を超えたか否かを判別するための当該所定の閾値を、監視モード時の通常の閾値よりも低い、候補電話機となった場合の閾値に下げて判別感度を上げるようにする。
【０１６８】
また、新たに第１電話機となった電話機Ｆ自体も、収音音声が所定の閾値を超えたか否かを判別するための当該所定の閾値を、監視モード時の通常の閾値よりも低い、候補電話機となった場合の閾値に下げて判別感度を上げるようにする。
【０１６９】
なお、初めに第１電話機であった電話機Ｃは、例えば、電話機Ｆからの侵入者検知通知を受信した段階で、第１電話機から候補電話機に移行するようにされる。
【０１７０】
そして、新たに第１電話機となった電話機Ｆは、図９に示したように、ハンズフリー用マイクロホン１０８Ｍにより収音される音声をセキュリティサーバ３に対して送信する。
【０１７１】
この場合、セキュリティサーバ３と所定の監視先との間に通話路が既に接続されている。このため、セキュリティサーバ３は、当該通話路を通じて、新たに第１電話機となった電話機Ｆからの収音音声を順次に当該所定の監視先に送信する。これにより、当該所定の監視先において、電話機Ｃからの収音音声のモニタリングに引き続き、電話機Ｆからの収音音声のモニタリングを行うことができるようにされる。
【０１７２】
このように、この実施の形態の電話システムにおいては、監視モードにおいては、異常を最もよく検出している電話機である第１電話機が、侵入者等の移動に応じて適宜移行し、侵入者が立てる異常音を良好に収音して、所定の監視先に送信することができるようにしている。
【０１７３】
そして、この実施の形態の電話システムを構成する各電話機は、監視モードになったか否か、監視モードになった場合には、自機が第１電話機か否か、自機が候補電話機か否か、第１電話機はどこかをセキュリティ情報メモリ１２２において管理している。
【０１７４】
さらに、この実施の形態の電話システムを構成する各電話機１は、図４〜図９を用いて説明したように、自己の侵入者検知通知範囲を有している。そして、自己の侵入者検知通知範囲内の電話機に対して侵入者検知通知を行うために、各電話機は、自己の侵入者検知通知範囲に属する他の電話機を特定する情報（例えばＩＰアドレスや内線電話番号）についてもセキュリティ情報メモリ１２２において管理している。
【０１７５】
［セキュリティ情報メモリ１２２の管理情報の例］
図１０は、図２に示した構成を有する電話機のセキュリティ情報メモリ１２２で管理される情報について説明するための図である。
【０１７６】
図１０Ａに示すように、この実施の形態の電話システムを構成する電話機Ａ〜Ｌのそれぞれのセキュリティ情報メモリ１２２には、セキュリティフラグ、第１電話機フラグ、候補電話機フラグの各フラグ情報が管理される。
【０１７７】
さらに、図１０Ａに示すように、セキュリティ情報メモリ１２２においては、第１電話機情報が管理されると共に、各電話機が有する侵入者検知通知範囲内に属する電話機を特定する侵入者検知通知先情報が管理される。
【０１７８】
ここで、セキュリティフラグは、自機が監視モード（セキュリティモード）になっているか否かを示すものであり、監視モード時にはオン、通常の電話モード時にはオフとなるものである。
【０１７９】
第１電話機フラグは、自機が第１電話機になっているか否かを示すものであり、第１電話機になった場合にはオン、そうでない場合にはオフとなるものである。候補電話機フラグは、自機が候補電話機になっているか否かを示すものであり、候補電話機になった場合にはオン、そうでない場合にはオフとなるものである。
【０１８０】
また、第１電話機情報は、自機が候補電話機となっている場合に、第１電話機はどの電話機かを示す情報である。第１電話機情報としては、第１電話機となっている電話機の例えばＩＰアドレスや内線番号などが用いられる。
【０１８１】
この第１電話機情報により、自機が候補電話機となっている場合に、侵入者の移動などにより自機において閾値より大きな音量レベルの音声を収音した場合に、当該音量レベルの送信先であるその時点の第１電話機を特定することができるようにしている。
【０１８２】
これにより上述もしたように、第１電話機では、他の電話機から音量レベルが送信されてきた場合に、自機の収音音声の音量レベルと比較することによって、第１電話機を移行する必要があるか否かを判断することができるようにされる。
【０１８３】
そして、侵入者通知先情報は、当該電話機が有する侵入者検知通知範囲に属する電話機の識別情報であり、この実施の形態の場合には、当該侵入者検知通知範囲に属する電話機の例えばＩＰアドレスや内線番号が用いられる。
【０１８４】
このような情報を管理するセキュリティ情報メモリ１２２の具体例について説明する。図１０Ｂは、図７を用いて前述した状態である電話機Ｃが第１電話機となり、電話機Ｂ、Ｅ、Ｆが候補電話機となっている場合の電話機Ｆのセキュリティ情報メモリ１２２の管理情報について説明するための図である。
【０１８５】
図７に示した状態の時には、電話機Ａ〜Ｌの全てが監視モードとなっている状態であり、図１０Ｂに示すように電話機Ｆのセキュリティフラグは「オン」とされる。また、図７に示した状態では、第１電話機は電話機Ｃであり、電話機Ｆは候補電話機であるので、図１０Ｂに示すように電話機Ｆの第１電話機フラグは「オフ」とされ、候補電話機フラグが「オン」とされる。
【０１８６】
そして、第１電話機情報として、第１電話機は電話機Ｃであることが示される。この場合、第１電話機情報は、上述もしたように、その時点において第１電話機となっている電話機の識別情報、例えばＩＰアドレスなどが用いられる。
【０１８７】
また、図９を用いて説明したように、電話機Ｆは侵入者検知通知範囲Ａｒ２を有している。このため、図１０Ｂに示すように、図９に示した侵入者検知通知範囲Ａｒ２内に属する電話機Ａ、Ｂ、Ｃ、Ｅ、Ｇ、Ｈ、Ｉの７つの電話機のＩＰアドレスや内線番号などの識別情報が、侵入者検知通知先情報として管理される。
【０１８８】
このように、各電話機のセキュリティ情報メモリ１２２においては、各フラグ情報、第１電話機情報、電話機毎の侵入者検知通知範囲に属する電話機の識別情報が管理され、電話システム全体でセキュリティ機能を実現することができるようにしている。
【０１８９】
［電話システムの監視モード時の動作］
次に、この第１の実施の形態の電話システムの監視モード（セキュリティモード）時の動作について具体的に説明する。以下においては、図６〜図９を用いて説明したように、電話機Ｃで異常音を検出した場合を例にして説明する。
【０１９０】
まず、図６、図７を用いて説明したように、電話機Ｃで異常音を検出した場合であって、所定の監視先である警備会社側で誤報であることを検知した場合の電話システムの動作パターンについて説明する。
【０１９１】
なお、この第１の実施の形態の電話システムでは、セキュリティサーバ３のタイマ３０８の機能により、例えば毎日午後１０時になると自動的に監視モード（セキュリティモード）となるようにされている場合として説明する。
【０１９２】
この他、最後に帰宅する者が電話機Ａ〜Ｌのいずれかを通じて所定の操作を行った場合に、セキュリティサーバ３に監視モード移行通知が送信され、これに応じてセキュリティサーバ３が監視モードへの移行動作を開始するようにするなどのことも可能である。
【０１９３】
図１１は、この第１の実施の形態の電話システムにおいて、電話機Ｃで異常音を検出し、所定の監視先である警備会社側で誤報であることを検知した場合の電話システムの動作パターンを説明するためのシーケンス図である。
【０１９４】
この第１の実施の形態の電話システムは、電話機Ａ〜Ｌを備えるものであるが、説明を簡単にするため、図１１においては、最初に異常音を検知する電話機Ｃと、その近隣の電話機Ｂ、Ｆと、セキュリティサーバ３とを中心にして説明する。以下、図１１のシーケンス図に沿って、電話システムの動作を説明する。
【０１９５】
この例の場合、セキュリティサーバ３は、午後１０時になると、図１１に示すように、自機に接続された電話機Ａ〜Ｌのそれぞれに対してセキュリティ開始通知を送信する。セキュリティサーバ３からのセキュリティ開始通知を受信した電話機Ａ〜Ｌのそれぞれは、自機のセキュリティ情報メモリ１２２のセキュリティフラグを「オン」にし、監視モードの初期状態（セキュリティ初期状態）となる。
【０１９６】
そして、監視モードとなった電話機Ａ〜Ｌのそれぞれにおいては、スイッチ回路１０５をハンズフリー用マイクロホンおよびスピーカ部１０８側に切り替える。そして、ハンズフリー用マイクロホン１０８Ｍを通じて周囲の音声を収音し、当該収音音声の音量レベルと所定の閾値との比較処理を開始する。
【０１９７】
すなわち、ハンズフリー用マイクロホン１０８Ｍで収音された音声（収音音声）は、通話音声入出力Ｉ／Ｆ１０４を通じて制御部１３０に通知される。制御部１３０は、収音音声の音量レベルを検出し、当該音量レベルと所定の閾値と比較して、当該音量レベルが閾値を超えたか否かを判別する処理を順次に行う。
【０１９８】
そして、図１１において、黒丸の印で示したように、電話機Ｃにおいて、音量レベルが所定の閾値よりも大きな音声を収音したとする。この場合、電話機Ｃは、侵入者検知通知を形成し、これをセキュリティ情報メモリ１２２の情報にしたがって自機の侵入者検知通知範囲Ａｒ１内の電話機Ｂ、Ｆ、Ｅに対して送信する。なお、図１１においては、説明を簡単にするため、電話機Ｅについての記載は省略している。
【０１９９】
そして、侵入者検知通知を受信した侵入者検知通知範囲Ａｒ１内の電話機Ｂ、Ｆ、Ｅのそれぞれは、自機のセキュリティ情報メモリ１２２の候補電話機フラグを「オン」にし、第１電話機情報に電話機Ｃの識別情報（電話機ＣのＩＰアドレスなど）を格納し、候補電話機となる。
【０２００】
なお、第１電話機となった電話機Ｃと、候補電話機となった電話機Ｂ、Ｆ、Ｅのそれぞれにおいては、音量レベルとの比較対象である閾値を下げ、判別感度を上げるようにしている。
【０２０１】
さらに、第１電話機である電話機Ｃは、セキュリティサーバ３に対して発信し、セキュリティサーバ３からの着信応答を得て、図１１において二重線の矢印で示したようにセキュリティサーバ３との間に通話路を接続する。
【０２０２】
そして、電話機Ｃは、接続した通話路を通じて、自機のハンズフリー用マイクロホン１０８Ｍを通じて収音した音音声をセキュリティサーバ３に送信する。
【０２０３】
セキュリティサーバ３は、図１１に示すように、電話機Ｃとの間に接続された通話路を通じて収音音声が送信されてくると、これを受信して自機の録音メモリ３０９に録音する。そして、セキュリティサーバ３は、所定の監視先である警備会社に発信し、当該警備会社からの着信応答を得て、通話路を接続する。
【０２０４】
この後、図１１に示すように、セキュリティサーバ３は、当該警備会社との間に接続した通話路を通じて、自機の録音メモリ３０９に録音した電話機Ｃからの収音音声を当該警備会社に送信する。
【０２０５】
なお、電話機Ｃからの収音音声をセキュリティサーバ３で録音メモリに録音した後に警備会社に送信するようにしているのは、警備会社との間の通話路接続までの間に電話機Ｃから送られてくる収音音声をも含めて、漏れなく収音音声を警備会社に送信するためである。
【０２０６】
この後、警備会社では、セキュリティサーバ３から送信されてくる収音音声を再生して担当者が聴取し（モニタリングし）、真に異常が発生しているのか、あるいは、誤報なのかを判断するようにする。
【０２０７】
ここで、セキュリティサーバ３を介して送信されてくる電話機Ｃからの収音音声が、例えば、雷鳴や自動車のクラクションなどの音であり、異常が発生していないことが明らかであることが判明したとする。この場合、当該警備会社からは接続されている通話路を通じて侵入者検知誤報判別通知が送信されてくる。
【０２０８】
侵入者検知誤報判別通知を受信したセキュリティサーバは、仕切りなおし通知を形成し、これを自機に接続された電話機Ａ〜Ｌのそれぞれに送信する。また、セキュリティサーバ３は、当該警備会社との間に接続している通話路を切断（解放）する。
【０２０９】
一方、仕切りなおし通知を受信した電話機Ａ〜Ｌのそれぞれは、自己のセキュリティ情報メモリ１２２のフラグ情報や第１電話機情報を初期状態に戻すと共に、第１電話機や候補電話機となっていた電話機では、音量レベルの比較に用いる閾値を監視モード時における通常の閾値に戻すようにする。
【０２１０】
これにより各電話機Ａ〜Ｌのそれぞれは、図１１に示すように、セキュリティフラグだけが「オン」となり、第１電話機フラグと候補電話機フラグはいずれも「オフ」で、第１電話機情報も初期化された状態であるセキュリティ初期状態に戻る。また、第１電話機であった電話機Ｃは、セキュリティサーバ３との間に接続していた通話路を切断（解放）する。
【０２１１】
このように、第１電話機となった電話機からの収音音声を、セキュリティサーバ３を介して警備会社に送信し、これを警備会社側の担当者が聴取できるようにしている。これにより、雷鳴や自動車のクラクションなどの明らかに異常音でないと判別できる場合には、警備員を急行させたり、警察に通報したりするなどの誤った対応を取ることがないようにすることができる。
【０２１２】
次に、図６〜図９を用いて説明したように、第１電話機が電話機Ｃから電話機Ｆに移行する場合の動作パターンについて説明する。図１２、図１３は、この第１の実施の形態の電話システムにおいて、第１電話機が電話機Ｃから電話機Ｆに移行する場合の動作パターンについて説明するためのシーケンス図である。
【０２１３】
上述もしたように、この第１の実施の形態の電話システムは、電話機Ａ〜Ｌを備えるものであるが、説明を簡単にするため、図１２、図１３においても、最初に異常音を検知する電話機Ｃと、その近隣の電話機Ｂ、Ｆと、セキュリティサーバ３とを中心にして説明する。以下、図１２、図１３のシーケンス図に沿って、電話システムの動作を説明する。
【０２１４】
図１２と図１１とを比較すると分かるように、この例においても、セキュリティ開始通知の送信から警備会社への収音音声の送信までの処理は、図１１を用いて説明した場合の動作パターンと同様に行われる。
【０２１５】
すなわち、セキュリティサーバ３は、午後１０時になると、図１２に示すように、自機に接続された電話機Ａ〜Ｌのそれぞれに対してセキュリティ開始通知を送信する。セキュリティサーバ３からのセキュリティ開始通知を受信した電話機Ａ〜Ｌのそれぞれは、自機のセキュリティ情報メモリ１２２のセキュリティフラグを「オン」にし、監視モードの初期状態（セキュリティ初期状態）となる。
【０２１６】
そして、監視モードとなった電話機Ａ〜Ｌのそれぞれにおいては、ハンズフリー用マイクロホン１０８Ｍを通じて周囲の音声を収音し、当該収音音声の音量レベルと所定の閾値との比較処理を開始する。
【０２１７】
そして、図１２において、電話機Ｃの下側において黒丸の印で示したように、電話機Ｃにおいて、音量レベルが所定の閾値よりも大きな音声を収音したとする。この場合、電話機Ｃは、侵入者検知通知を形成し、これをセキュリティ情報メモリ１２２の情報にしたがって自機の侵入者検知通知範囲Ａｒ１内の電話機Ｂ、Ｆ、Ｅに対して送信する。なお、図１２においても、説明を簡単にするため、電話機Ｅについての記載は省略している。
【０２１８】
そして、侵入者検知通知を受信した侵入者検知通知範囲Ａｒ１内の電話機Ｂ、Ｆ、Ｅのそれぞれは、自機のセキュリティ情報メモリ１２２の候補電話機フラグを「オン」にし、第１電話機情報に電話機Ｃの識別情報（例えば電話機ＣのＩＰアドレス）を格納し、候補電話機となる。
【０２１９】
さらに、第１電話機である電話機Ｃは、セキュリティサーバ３に対して発信し、セキュリティサーバ３からの着信応答を得て、図１２において二重線の矢印で示したようにセキュリティサーバ３との間に通話路を接続する。
【０２２０】
そして、電話機Ｃは、接続した通話路を通じて、自機のハンズフリー用マイクロホン１０８Ｍを通じて収音下収音音声をセキュリティサーバ３に送信する。
【０２２１】
セキュリティサーバ３は、図１２に示すように、電話機Ｃとの間に接続された通話路を通じて収音音声が送信されてくると、これを受信して自機の録音メモリ３０９に録音する。そして、セキュリティサーバ３は、所定の監視先である警備会社に発信し、当該警備会社からの着信応答を得て、通話路を接続する。
【０２２２】
この後、図１２に示すように、セキュリティサーバ３は、当該警備会社との間に接続した通話路を通じて、自機の録音メモリ３０９に録音した電話機Ｃからの収音音声を当該警備会社に送信する。
【０２２３】
この後、図１２において、電話機Ｆの下側において黒丸の印で示したように、図８を用いて説明した場合と同様に、候補電話機となり判別感度が上げられている電話機Ｆにおいて、音量レベルが所定の閾値よりも大きな音声を収音したとする。
【０２２４】
この場合、電話機Ｆは、自機のセキュリティ情報メモリ１２２の第１電話機情報に基づいて、電話機Ｃに対して当該音量レベルを通知する音量レベル通知を形成し、これを第１電話機である電話機Ｃに送信する。
【０２２５】
そして、図１３に示す処理に進み、音量レベル通知を受信した電話機Ｃは、受信した電話機Ｆからの収音音声の音量レベルと、自機における収音音声の音量レベルとを比較する。ここで電話機Ｃにおいては、電話機Ｆからの音量レベルを受信した直後の収音音声の音量レベルを比較の対象としている。
【０２２６】
しかし、これに限るものではない。例えば、第１電話機となった電話機においては、収音音声を所定時間分、自機のメモリに蓄積するようにしておく。そして、第１電話機では、音量レベルを送信してきた電話機において、当該音量レベルの音声を収音したであろうタイミングと同じタイミングの過去の収音音声の音量レベルを取得する。
【０２２７】
このようにして取得する過去の収音音声の音量レベルを、他の電話機から送信されてくる収音音声の音量レベルとの比較の対象とするようにすることも可能である。これにより、音量レベルを送信してきた電話機と、第１電話機とで、ほぼ同一タイミングで収音した音声の音量レベル同士を比較することが可能になる。
【０２２８】
なお、第１電話機において、どれ位過去の収音音声の音量レベルを用いるかは、他の電話機が閾値より大きな音量レベルの音声を収音したと判断してから、第１電話機にその音量レベルが送信されてくるまでにかかる時間に応じて定めるようにすればよい。
【０２２９】
そして、この場合の第１電話機である電話機Ｃにおいて、電話機Ｆからの音量レベルより、自機の収音音声の音量レベルの方が高かった（大きかった）とする。この場合には、異常を一番よく検出しているのは電話機Ｃであるので、第１電話機は電話機Ｃのままとして、各電話機において収音音声の監視が続行される。
【０２３０】
また、第１電話機である電話機Ｃにおいて、電話機Ｆからの音量レベルの方が、自機の収音音声の音量レベルより高かった（大きかった）とする。この場合には、異常を一番よく検出しているのは電話機Ｆであるので、この時点において第１電話機である電話機Ｃは、第１電話機移行通知を形成し、これを音量レベルの送信元である電話機Ｆに送信する。また、電話機Ｃは、自機からの収音音声のセキュリティサーバ３への送信を停止する。
【０２３１】
第１電話機移行通知を受信した電話機Ｆは、自機のセキュリティ情報メモリ１２２において、第１電話機フラグを「オン」にし、候補電話機フラグを「オフ」にすると共に、第１電話機情報をクリアする。これにより、電話機Ｆが第１電話機になる。
【０２３２】
そして、第１電話機となった電話機Ｆは、図１３に示すように、セキュリティサーバ３に対して発信し、セキュリティサーバ３からの着信応答を得て、図１３において二重線の矢印で示したようにセキュリティサーバ３との間に通話路を接続する。
【０２３３】
そして、電話機Ｆは、接続した通話路を通じて、自機のハンズフリー用マイクロホン１０８Ｍを通じて収音した収音音声をセキュリティサーバ３に送信する。
【０２３４】
セキュリティサーバ３は、図１３に示すように、電話機Ｆとの間に接続された通話路を通じて収音音声が送信されてくると、これを受信して、電話機Ｃからの収音音声に替えて電話機Ｆからの収音音声を自機の録音メモリ３０９に録音する。
【０２３５】
そして、セキュリティサーバ３は、既に所定の監視先である警備会社との間に接続されている通話路を通じて、自機の録音メモリに録音した電話機Ｆからの収音音声を当該警備会社に送信する。
【０２３６】
これにより、当該警備会社においては、電話機Ｃからの収音音声に替えて、新たに第１電話機になった電話機Ｆからの収音音声を受信してこれを聴取することができるようにされる。
【０２３７】
さらに、新たに第１電話機となった電話機Ｆは、侵入者検知通知を形成し、これをセキュリティ情報メモリ１２２の情報にしたがって、図９に示したように、自機の侵入者検知通知範囲Ａｒ２内の電話機Ａ、Ｂ、Ｃ、Ｅ、Ｇ、Ｈ、Ｉに対して送信する。なお、図１２、図１３においては、説明を簡単にするため、電話機Ｃ、Ｂ、Ｆ以外の電話機についての記載は省略している。
【０２３８】
そして、侵入者検知通知を受信した侵入者検知通知範囲Ａｒ２内の電話機Ａ、Ｂ、Ｃ、Ｅ、Ｇ、Ｈ、Ｉのそれぞれは、自機のセキュリティ情報メモリ１２２の候補電話機フラグを「オン」にし、第１電話機情報に電話機Ｆの識別情報（電話機ＦのＩＰアドレスなど）を格納し、候補電話機となる。
【０２３９】
なお、元の第１電話機であった電話機Ｃにおいては、第１電話機フラグが「オフ」になるようにされる。これにより、第１電話機が電話機Ｃから電話機Ｆへの移行が完了する。
【０２４０】
そして、図１３に示すように、警備会社の警備員が到着後、セキュリティサーバ３に対してセキュリティ機能停止命令を入力する。このセキュリティ機能停止命令は、例えば、電話機Ａ〜Ｌのいずれかを通じて行うこともできるし、セキュリティサーバ３に対して直接に入力することもできる。
【０２４１】
セキュリティサーバ３は、セキュリティ機能停止命令を受信すると、セキュリティ終了通知を形成し、これを自機に接続された電話機Ａ〜Ｌのそれぞれに対して送信する。
【０２４２】
セキュリティ終了通知を受信した電話機Ａ〜Ｌのそれぞれは、セキュリティ情報メモリのフラグ情報を全て「オフ」にし、第１電話機情報をクリアして、監視モードを終了され、通常の電話機としての動作に戻るようにされる。
【０２４３】
このように、この実施の形態の電話システムは、監視モード時に、セキュリティサーバ３に接続されている電話機Ａ〜Ｌのいずれかで所定の閾値より大きな音量レベルの音声を収音している場合には、収音音声をセキュリティサーバ３を介して警備会社に送信することができる。
【０２４４】
そして、警備会社の担当者が、セキュリティサーバ３からの収音音声を聴取し、侵入者等の異常が発生しているか、異常が発生している場合には、どのような様態かを知ることができるようにされる。そして、異常が発生していると判断した場合、あるいは、異常が発生している可能性が高いと判断した場合には、迅速に適切な対応を取ることができるようにされる。
【０２４５】
［ＳＩＰコマンドの利用］
そして、上述したように、セキュリティサーバ３はＳＩＰサーバとしての機能をも備えている。このため、各電話機Ａ〜Ｌのそれぞれとセキュリティサーバ３との間や、電話機Ａ〜Ｌの内の電話機間においては、ＳＩＰに準拠したコマンドを送受する。
【０２４６】
このため、セキュリティ機能を実現するための種々の通知を、ＳＩＰに準拠した既存のコマンドを用いて行うことができる。図１４〜図１９は、この第１の実施の形態に電話システムにおいて、セキュリティ機能を実現するために必要となる各種の通知を、ＳＩＰに準拠した既存のコマンドを用いて行う場合の例について説明するための図である。ここでは、ＳＩＰにおけるＩＮＶＩＴＥ（インバイト）コマンドを用いるようにしている。
【０２４７】
図１４は、図１１や図１２を用いて説明したように、電話機Ａ〜Ｌのそれぞれを監視モードにするために、セキュリティサーバ３が形成して各電話機Ａ〜Ｌに送信するセキュリティ開始通知を、ＩＮＶＩＴＥコマンドを用いて形成した場合の例を示している。
【０２４８】
図１４において、その真ん中部分に存在するＡｌｅｒｔ−Ｉｎｆｏ：の項目欄が、当該ＩＮＶＩＴＥコマンドがセキュリティ開始通知であることを示している部分である。そして、当該ＩＮＶＩＴＥコマンドが各電話機Ａ〜Ｌのそれぞれに送信されることにより、これを受信した電話機Ａ〜Ｌのそれぞれは、自機を監視モードに移行させることができるようにされる。
【０２４９】
また、図１５は、図１１〜図１３を用いて説明したように、第１電話機となった電話機が、自己の侵入者検知通知範囲に属する電話機に対して送信する侵入者検知通知を、ＩＮＶＩＴＥコマンドを用いて形成した場合の例を示している。
【０２５０】
図１５において、その真ん中部分に存在するＡｌｅｒｔ−Ｉｎｆｏ：の項目欄が、当該ＩＮＶＩＴＥコマンドが侵入者検知通知であることを示している部分である。当該ＩＮＶＩＴＥコマンドが侵入者検知通知範囲に属する電話機に対して送信されることにより、これを受信した電話機Ａ〜Ｌのそれぞれは、自機を候補電話機に移行させることができるようにされる。
【０２５１】
また、図１６は、図１１を用いて説明したように、電話機Ａ〜Ｌのそれぞれを監視モードの初期状態（セキュリティ初期状態）にするために、セキュリティサーバ３が形成して各電話機Ａ〜Ｌに送信する仕切りなおし通知を、ＩＮＶＩＴＥコマンドを用いて形成した場合の例を示している。
【０２５２】
図１６において、その真ん中部分に存在するＡｌｅｒｔ−Ｉｎｆｏ：の項目欄が、当該ＩＮＶＩＴＥコマンドが仕切りなおし通知であることを示している部分である。当該ＩＮＶＩＴＥコマンドが各電話機Ａ〜Ｌのそれぞれに送信されることにより、これを受信した電話機Ａ〜Ｌのそれぞれは、自機を監視モードの初期状態に移行させることができるようにされる。
【０２５３】
また、図１７は、図１２を用いて説明したように、候補電話機から第１電話機に対して音量レベルを通知するために、候補電話機が形成して第１電話機に送信する音量レベル通知を、ＩＮＶＩＴＥコマンドを用いて形成した場合の例を示している。
【０２５４】
図１７において、その真ん中部分に存在するＡｌｅｒｔ−Ｉｎｆｏ：の項目欄が、当該ＩＮＶＩＴＥコマンドが音量レベル通知であることを示している部分である。当該ＩＮＶＩＴＥコマンドが第１電話機に送信されることにより、これを受信した第１電話機においては、自機の収音音声の音量レベルとの比較処理を行うことができるようにされる。
【０２５５】
また、図１８は、図１３を用いて説明したように、音量レベルを送信してきた候補電話機を新たな第１電話機とするために、第１電話機が形成して新たに第１電話機になる候補電話機に対して送信する第１電話機移行通知を、ＩＮＶＩＴＥコマンドを用いて形成した場合の例を示している。
【０２５６】
図１８において、その真ん中部分に存在するＡｌｅｒｔ−Ｉｎｆｏ：の項目欄が、当該ＩＮＶＩＴＥコマンドが第１電話機移行通知であることを示している部分である。当該ＩＮＶＩＴＥコマンドが新たに第１電話機となるべき候補電話機に送信されることにより、これを受信した候補電話機においては、自機を新たな第１電話機とする処理を行うことができるようにされる。
【０２５７】
また、図１９は、図１３を用いて説明したように、電話機Ａ〜Ｌのそれぞれにおいて監視モードを終了させるために、セキュリティサーバ３が形成して各電話機Ａ〜Ｌに送信するセキュリティ終了通知を、ＩＮＶＩＴＥコマンドを用いて形成した場合の例を示している。
【０２５８】
図１９において、その真ん中部分に存在するＡｌｅｒｔ−Ｉｎｆｏ：の項目欄が、当該ＩＮＶＩＴＥコマンドがセキュリティ終了通知であることを示している部分である。そして、当該ＩＮＶＩＴＥコマンドが各電話機Ａ〜Ｌのそれぞれに送信されることにより、これを受信した電話機Ａ〜Ｌのそれぞれは、自機を監視モードから通常の電話モードに移行させることができるようにされる。
【０２５９】
このように、ＳＩＰに準拠したＩＮＶＩＴＥコマンドによって、この第１の実施の形態の電話システムにおいて、セキュリティ機能を実現するために必要な種々の通知を形成し、これを用いることができる。
【０２６０】
なお、図１１〜図１３のシーケンス図においては、各電話機間でも種々の通知を送受可能なものとして説明したが、実際には、各電話機器間における種々の通知等の送受は、セキュリティサーバ３を介して行うようにされる。
【０２６１】
また、図１４〜図１９に示したように、送信元（Ｆｒｏｍ：）や送信先（Ｔｏ：）等の必要な種々の情報も通知できるので、侵入者検知通知の場合には、送信元の電話機が第１電話機であるものとして適切に認識できる。
【０２６２】
同様に、音量レベル通知の場合には、どの電話機からの音量レベル通知であるのかも正確に知ることができるので、第１電話機移行通知の送信先についても正確に把握することができる。
【０２６３】
［電話システムの個々の電話機の処理］
次に、この第１の実施の形態の電話システムの電話機Ａ〜Ｌのそれぞれにおいて行われる監視モード時の処理の詳細について説明する。図２０〜図２２は、第１の実施の形態の電話システムの電話機Ａ〜Ｌにおいて行われる監視モード時の処理を説明するためのフローチャートである。この図２０〜図２２に示す処理は、図２を用いて説明したように構成されるこの実施の形態の電話機（電話端末１）の主に制御部１３０において実行される処理である。
【０２６４】
そして、この実施の形態の電話機において、制御部１３０は、常時、ＬＡＮ接続端子１０１、ＬＡＮＩ／Ｆ１０２を通じて、自機宛に送信されてくる通知を受信するようにし（ステップＳ１０１）、自機宛の通知を受信したか否かを判断するようにしている（ステップＳ１０２）。
【０２６５】
ステップＳ１０２の判断処理において、自機宛の通知を受信していないと判断したときには、ステップＳ１０１からの処理を繰り返し、自機宛の通知の受信を待つ。ステップＳ１０２の判断処理において、自機宛の通知を受信したと判断したときには、制御部１３０は、受信した自機宛の通知がセキュリティサーバ３からのセキュリティ開始通知か否かを判断する（ステップＳ１０３）。
【０２６６】
ステップＳ１０３の判断処理において、セキュリティ開始通知ではないと判断したときには、制御部１３０は、当該受信した通知に応じた処理を実行する（ステップＳ１０４）。例えば、受信した通知が自機への着信通知である場合には、自機に着信があることを通知するためにリンガ１１３を鳴動させるなどの一連の着信処理が行われることになる。
【０２６７】
ステップＳ１０３の判断処理において、受信した自機宛の通知は、セキュリティ開始通知であると判断したときには、制御部１３０は、セキュリティ情報メモリ１２２のセキュリティフラグを「オン」にし、自機を監視モードにする（ステップＳ１０５）。
【０２６８】
そして、制御部１３０は、スイッチ回路１０５をハンズフリー用マイクロホンおよびスピーカ部１０８側に切り替え、ハンズフリー用マイクロホン１０８Ｍを通じて、周囲の音声を収音する処理を開始させる（ステップＳ１０６）。
【０２６９】
この後、制御部１３０は、ＬＡＮ接続端子１０１、ＬＡＮＩ／Ｆ１０２を通じて、自機宛の侵入者検知通知を受信するようにし（ステップＳ１０７）、自機宛の侵入者検知通知を受信したか否かを判断する（ステップＳ１０８）。
【０２７０】
ステップＳ１０８の判断処理において、自機宛の侵入者検知通知を受信したと判断したときには、制御部１３０は、セキュリティ情報メモリ１２２をアクセスし、候補電話機フラグを「オン」にする（ステップＳ１０９）。これにより、自機は候補電話機となる。この場合、候補電話機となった電話機においては、収音音声の音量レベルとの比較対象なる閾値がより低いものとされ、判別感度が上げられるようにされる。
【０２７１】
ステップＳ１０９の処理の後、あるいは、ステップＳ１０８の判断処理において、自機宛の侵入者検知通知を受信していないと判断したときには、制御部１３０は、ハンズフリーようマイクロホン１０８Ｍを通じて収音している音声の音量レベルが所定の閾値より大きくなったか否かを判断する（ステップＳ１１０）。
【０２７２】
すなわち、上述もしたように、ハンズフリー用マイクロホン１０８Ｍで収音された収音音声は、通話音声入出力Ｉ／Ｆ１０４を通じて制御部１３０に供給され、ここで音量レベルが検出されて、所定の閾値と比較するようにされる。
【０２７３】
ステップＳ１０９の判断処理において、収音音声の音量レベルが所定の閾値以下である判断したときには、侵入者等の異常は発生していない状態であるので、制御部１３０は、ステップＳ１０７からの処理を繰り返すようにする。
【０２７４】
ステップＳ１０９の判断処理において、収音音声の音量レベルが所定の閾値より大きいと判断したときには、侵入者等の異常が発生している可能性があるので、制御部１３０は、図２１のステップＳ１１１に進む。そして、電話機の制御部１３０は、自機のセキュリティ情報メモリ１２２の情報参照し、自機は候補電話機か否かを判断する（ステップＳ１１１）。
【０２７５】
ステップＳ１１１の判断処理において、自機は候補電話機ではないと判断したときには、まだ第１電話機は存在していないはずであるので、制御部１３０は、セキュリティ情報メモリ１２２にアクセスし、第１電話機フラグを「オン」にする（ステップＳ１１２）。
【０２７６】
そして、制御部１３０は、セキュリティ情報メモリ１２２を参照し、自機の侵入者検知通知範囲の電話機に対して送信する侵入者検知通知を形成し、これを自機の侵入者検知通知範囲の電話機に対して送信する（ステップＳ１１３）。
【０２７７】
このステップＳ１１３においては、セキュリティ情報メモリ１２２の情報に基づき送信先を特定し、パケット処理部１０３を制御して侵入者検知通知を形成し、これをＬＡＮＩ／Ｆ１０２、ＬＡＮ接続端子１０１を通じてＬＡＮケーブル２に送出し、目的とする電話機に対して送信する。
【０２７８】
この後、制御部１３０は、ＬＡＮＩ／Ｆ１０２、ＬＡＮ接続端子１０１を通じてセキュリティサーバ３に発信し、セキュリティサーバ３からの着信応答を受信して、自機とセキュリティサーバ３との間に通話路を接続する（ステップＳ１１４）。
【０２７９】
そして、電話機の制御部１３０は、ハンズフリー用マイクロホン１０８Ｍを通じて収音している音声を順次にセキュリティサーバ３に送信する（ステップＳ１１５）。このステップＳ１１５においては、まず、ハンズフリー用マイクロホン１０８Ｍを通じて収音している音声を順次にパケット処理部１０３においてセキュリティサーバ３宛てのパケットとしてパケット化する処理を行う。そして、このパケット化した収音音声を、ＬＡＮＩ／Ｆ１０２、ＬＡＮ接続端子１０１を通じてＬＡＮケーブル２に送出し、セキュリティサーバ３に対して送信する処理を行う。
【０２８０】
この後、制御部１３０は、ＬＡＮ接続端子１０１、ＬＡＮＩ／Ｆ１０２を通じて自機宛の通知を受信するようにし（ステップＳ１１６）、自機宛の通知を受信したか否かを判断する（ステップＳ１１７）。
【０２８１】
ステップＳ１１７の判断処理において、自機宛の通知を受信したと判断したときには、制御部１３０は、図２２のステップＳ１１８の処理に進み、受信した通知は、自機宛の音量レベル通知か否かを判断する（ステップＳ１１８）。
【０２８２】
ステップＳ１１８の判断処理において、受信した通知は、自機宛の音量レベル通知であると判断したときには、制御部１３０は、受信した音量レベル通知に含まれる音量レベルと、自機において収音している音声の音量レベルと比較する処理を行う（ステップＳ１１９）。
【０２８３】
そして、制御部１３０は、受信した音量レベル通知に含まれる音量レベルの方が高く、侵入者が移動した可能性が高いか否かを判断する（ステップＳ１２０）。ステップＳ１２０の判断処理において、侵入者が移動した可能性が高いと判断したときには、制御部１３０は、音量レベルの通知元に対して送信する第１電話機移行通知を形成し、これを当該通知元の電話機に対して送信する（ステップＳ１２１）。
【０２８４】
このステップＳ１２１において、第１電話機移行通知は、制御部１３０がパケット処理を制御することにより形成され、形成された第１電話機移行通知は、ＬＡＮＩ／Ｆ１０２、ＬＡＮ接続端子１０１を通じて当該通知元の電話機に対して送信される。
【０２８５】
そして、第１電話機移行通知を送信し終えた当該電話機の制御部１３０は、自機のセキュリティ情報メモリ１２２の第１電話機フラグを「オフ」にする（ステップＳ１２２）。そして、図２０に示したステップＳ１０７からの処理を繰り返す。
【０２８６】
また、ステップＳ１２０の判断処理において、受信した音量レベルよりも、自機が収音している音声の音量レベルの方が高く、侵入者が移動した可能性が低いと判断したときには、制御部１３０は、図２０に示したステップＳ１０７からの処理を行うようにする。すなわち、この場合、第１電話機移行通知が送信されることは無く、当該電話機が第１電話機のままとされる。
【０２８７】
また、ステップＳ１１８の判断処理において、受信した通知は、自機宛の音量レベル通知ではないと判断したときには、制御部１３０は、受信した通知は自機宛の仕切りなおし通知か否かを判断する（ステップＳ１２３）。
【０２８８】
ステップＳ１２３の判断処理において、受信した通知は自機宛の仕切りなおし通知であると判断したときには、制御部１３０は、自機のセキュリティ情報メモリ１２２の第１電話機フラグを「オフ」にし（ステップＳ１２２）、この後、図２０に示したステップＳ１０７からの処理を繰り返す。
【０２８９】
また、ステップＳ１２３の判断処理において、受信した通知は自機宛の仕切りなおし通知ではないと判断したときには、制御部１３０は、セキュリティ終了通知を受信したと判断し、自機のセキュリティ情報メモリ１２２のフラグ情報および第１電話機情報を初期化して（ステップＳ１２４）、通常の電話機の動作に戻る（ステップＳ１２５）。この後、図２０に示したステップＳ１０１からの処理を繰り返すようにする。
【０２９０】
また、図２１に示したステップＳ１１１の判断処理において、自機が候補電話機になっていると判断したときには、制御部１３０は、第１電話機宛の音量レベル通知を形成し、これを第１電話機に送信する（ステップＳ１２６）。
【０２９１】
このステップＳ１２６においては、制御部１３０は、パケット処理部１０３を制御して、自機の収音音声の音量レベルを含む音量レベル通知を形成し、これをＬＡＮＩ／Ｆ１０２、ＬＡＮ接続端子１０１を通じてＬＡＮケーブル２に送出して、第１電話機に対して送信する処理である。
【０２９２】
この後、制御部１３０は、ＬＡＮ接続端子１０１、ＬＡＮＩ／Ｆ１０２を通じて、自機宛の第１電話機移行通知を受信するようにし（ステップＳ１２７）、自機宛の第１電話機移行通知を受信したか否かを判断する（ステップＳ１２８）。
【０２９３】
ステップＳ１２８の判断処理において、自機宛の第１電話機移行通知を受信していないと判断したときには、制御部１３０は、図２０に示したステップＳ１０７からの処理を繰り返す。すなわち、候補電話機において閾値よりも大きな音量レベルの音声を収音したが、第１電話機を移行させるほどではなかったことになる。
【０２９４】
また、ステップＳ１２８の判断処理において、自機宛の第１電話機移行通知を受信したと判断したときには、制御部１３０は、まず、自機のセキュリティ情報メモリ１２２にアクセスし、第１電話機フラグを「オン」にすると共に、候補電話機フラグを「オフ」にし、第１電話機情報をクリアする（ステップＳ１２９）。
【０２９５】
そして、当該電話機の制御部１３０は、ＬＡＮＩ／Ｆ１０２、ＬＡＮ接続端子１０１を通じてセキュリティサーバ３に発信し、セキュリティサーバ３からの着信応答を受信して、自機とセキュリティサーバ３との間に通話路を接続する（ステップＳ１３０）。
【０２９６】
そして、電話機の制御部１３０は、ハンズフリー用マイクロホン１０８Ｍを通じて収音している音声を順次にセキュリティサーバ３に送信する（ステップＳ１３１）。この１３１においては、まず、ハンズフリー用マイクロホン１０８Ｍを通じて収音している音声を順次にパケット処理部１０３においてセキュリティサーバ３宛てのパケットとしてパケット化する処理を行う。そして、このパケット化した収音音声を、ＬＡＮＩ／Ｆ１０２、ＬＡＮ接続端子１０１を通じてＬＡＮケーブル２に送出し、セキュリティサーバ３に対して送信する処理を行う。
【０２９７】
この後、制御部１３０は、セキュリティ情報メモリ１２２を参照し、自機の侵入者検知通知範囲の電話機に対して送信する侵入者検知通知を形成し、これを自機の侵入者検知通知範囲の電話機に対して送信する（ステップＳ１３２）。この後、図２０に示したステップＳ１０７からの処理を繰り返す。
【０２９８】
このように、第１の実施の形態の電話システムを構成する電話機Ａ〜Ｌのそれぞれにおいては、図２０〜図２２に示した処理が実行される。そして、監視モードとされたときには、ハンズフリー用マイクロホン１０８Ｍを通じて周囲の音声を収音し、収音音声の音量レベルが閾値よりも大きい場合に、収音音声をセキュリティサーバ３に送信することができる。
【０２９９】
また、侵入者等の異常を検知した電話機は、予め決められた侵入者検知通知範囲の電話機に対して侵入者検知通知を行う。これにより、それらの電話機を第１電話機になる可能性の高い候補電話機として異常音の検出感度を上げるようにし、精度よく異常音の収音を行うことができるようにされる。
【０３００】
そして、異常音を一番よく検出している電話機が、収音音声をセキュリティサーバ３に送信する第１電話機となるようにすることができるので、監視モード時においては、最も適切に異常音を収音している電話機の収音音声をセキュリティサーバ３に送信することができるようにしている。
【０３０１】
［電話システムのセキュリティサーバの処理］
次に、この第１の実施の形態の電話システムのセキュリティサーバ３において行われる監視モード時の処理の詳細について説明する。図２３、図２４は、第１の実施の形態の電話システムのセキュリティサーバ３において行われる監視モード時の処理を説明するためのフローチャートである。この図２３、図２４に示す処理は、図３を用いて説明したように構成されるこの実施の形態のセキュリティサーバ３の主に制御部３１０において実行される処理である。
【０３０２】
そして、この実施の形態のセキュリティサーバ３の制御部３１０は、監視モードではない通常時においては、監視モード（セキュリティモード）への移行の契機となるセキュリティ開始イベントを検出したか否かを判断する（ステップＳ２０１）。
【０３０３】
ここでセキュリティ開始イベントは、例えば、タイマ３０８に設定された監視モードへの移行時間の到来や電話機を介して送信されてくる監視モードへの移行要求（移行通知）の受信などである。
【０３０４】
ステップＳ２０１の判断処理において、セキュリティ開始イベントを検出していないと判断したときには、制御部３１０は、ステップＳ２０１からの判断処理を繰り返す。また、ステップＳ２０１の判断処理において、セキュリティ開始イベントを検出したと判断したときには、制御部３１０は、セキュリティ開始通知を形成し、これを自機に接続された電話機Ａ〜Ｌのそれぞれに送信する（ステップＳ２０２）。
【０３０５】
具体的にステップＳ２０２において制御部３１０は、パケット処理部３０３を制御して各電話機へのセキュリティ開始通知を形成し、これを内線Ｉ／Ｆ３０５、ＬＡＮ接続端子３０４を通じてＬＡＮケーブル２に送出し、各電話機Ａ〜Ｌに送信する。
【０３０６】
この後、セキュリティサーバ３の制御部３１０は、ＬＡＮ接続端子３０４、内線Ｉ／Ｆ３０５を通じて、セキュリティ機能を開始させた（監視モードとなった）電話機からの発信を受信するようにする（ステップＳ２０３）。
【０３０７】
そして、制御部３１０は、監視モードとなった電話機からの発信を受信したか否かを判断する（ステップＳ２０４）。ステップＳ２０４の判断処理において、発信を受信していないと判断したときには、ステップＳ２０３からの処理を繰り返すようにする。
【０３０８】
ステップＳ２０４の判断処理において、監視モードとなった電話機からの発信を受信したと判断したときには、制御部３１０は、当該電話機に対して着信応答を返信する（ステップＳ２０５）。
【０３０９】
そして、制御部３１０は、発信元の電話機との間に通話路を接続し、当該通話路を通じて送信されてくる当該電話機からのパケット化された収音音声を受信して、これを自機の録音メモリに記録する処理を開始する（ステップＳ２０６）。
【０３１０】
具体的にステップＳ２０６において、制御部３１０は、接続した通話路を通じて送信されてくる当該電話機からのパケット化された収音音声をＬＡＮ接続端子３０４、内線Ｉ／Ｆ３０５を通じて受信する。
【０３１１】
そして、受信したパケット化されている収音音声をパケット処理部３０３においてパケット分解して、収音音声（音声データ）を抽出し、これを自機の録音メモリ３０９に順次に記録する処理を行うことになる。
【０３１２】
この後、制御部３１０は、外線Ｉ／Ｆ３０６、ＩＰ網接続端子３０７を通じて所定の監視先である警備会社に発信し、当該警備会社からの着信応答を受信して、自機と警備会社との間に通話路を接続する（ステップＳ２０７）。
【０３１３】
そして、制御部３１０は、自機の録音メモリ３０９に録音した電話機からの収音音声を警備会社との間に接続した通話路を通じて警備会社に送信する処理を開始する（ステップＳ２０８）。
【０３１４】
具体的にステップＳ２０８において制御部３１０は、自機の録音メモリ３０９に録音した電話機からの収音音声を読み出し、これをパケット処理部３０３においてパケット化する。このパケット化した収音音声を、外線Ｉ／Ｆ３０６、ＩＰ網接続端子３０７を通じて警備会社との間に接続した通話路に送出し、当該警備会社に対して送信する。
【０３１５】
この後、制御部３１０は、図２４のステップＳ２０９の処理に進み、ＩＰ網接続端子３０７、外線Ｉ／Ｆ３０６を通じて当該警備会社からの誤報判別通知を受信するようにする（ステップＳ２０９）。
【０３１６】
そして、制御部３１０は、警備会社からの誤報判別通知を受信したか否かを判断する（ステップＳ２１０）。ステップＳ２１０の判断処理において、誤報判別通知を受信したと判断したときには、制御部３１０は、仕切りなおし通知を形成し、これを自機に接続された全ての電話機Ａ〜Ｌのそれぞれに送信する（ステップＳ２１１）。
【０３１７】
具体的にステップＳ２１１において制御部３１０は、パケット処理部３０３を制御して仕切りなおし通知を形成し、これを内線Ｉ／Ｆ３０５、ＬＡＮ接続端子３０４を通じて、自機に接続された全ての電話機Ａ〜Ｌのそれぞれに送信することになる。ステップＳ２１１の処理の後、制御部３１０は、図２３に示したステップＳ２０３からの処理を繰り返すようにする。
【０３１８】
また、ステップＳ２１０の判断処理において、誤報判別通知を受信していないと判断したときには、制御部３１０は、自機に接続された他の電話機からの発信を受信するようにする（ステップＳ２１２）。
【０３１９】
そして、制御部３１０は、他の電話機からの発信を受信したか否かを判断する（ステップＳ２１３）。ステップＳ２１３の判断処理において、他の電話機からの発信を受信していないと判断したときには、制御部３１０は、ステップＳ２０９からの処理を繰り返すようにする。
【０３２０】
ステップＳ２１３の判断処理において、他の電話機からの発信を受信したと判断したとする。この場合は、上述もしたように、第１電話機の移行が行われ、新たに第１電話機になった電話機からの発信である。また、この段階では、その直前の第１電話機であった電話機からの収音音声の送信も停止するようにされている。
【０３２１】
そこで、制御部３１０は、パケット処理部３０３を制御して着信応答を形成し、これを内線Ｉ／Ｆ３０５、ＬＡＮ接続端子３０４を通じて発信元の電話機に返信する（ステップＳ２１４）。
【０３２２】
そして、制御部３１０は、発信元の電話機との間に通話路を接続し、当該通話路を通じて送信されてくる当該電話機からのパケット化された収音音声を受信して、これを自機の録音メモリに記録する処理を開始する（ステップＳ２１５）。
【０３２３】
具体的にステップＳ２１４においては、上述したステップＳ２０６の処理と同様に、制御部３１０は、接続した通話路を通じて送信されてくる当該電話機からのパケット化された収音音声をＬＡＮ接続端子３０４、内線Ｉ／Ｆ３０５を通じて受信する。
【０３２４】
そして、受信したパケット化されている収音音声をパケット処理部３０３においてパケット分解して、収音音声（音声データ）を抽出し、これを自機の録音メモリに順次に記録する処理を行うことになる。
【０３２５】
この後、制御部３１０は、既に接続されている警備会社との間の通話路を通じて、新たに第１電話機となった電話機からの収音音声を、パケット化して、当該警備会社に送信する処理を開始する（ステップＳ２１６）。
【０３２６】
そして、制御部３１０は、セキュリティ停止イベントが発生したか否かを判断する（ステップＳ２１７）。ここで、セキュリティ停止イベントは、例えば警備会社の警備員などにより、セキュリティサーバ３に対して、あるいは、電話機Ａ〜Ｌのいずれかを通じて行うようにされるセキュリティ停止のための操作の発生などである。また、セキュリティサーバ３において、タイマ３０８がセキュリティ停止時間になったことを検出した場合にも、セキュリティ停止イベントとなる。
【０３２７】
ステップＳ２１７の判断処理において、セキュリティ停止イベントは発生していないと判断したときには、制御部３１０は、ステップＳ２０９からの処理を繰り返すようにする。また、ステップＳ２１７の判断処理において、セキュリティ停止イベントが発生したと判断したときには、制御部３１０は、セキュリティ停止通知を形成し、これを自機に接続された電話機Ａ〜Ｌのそれぞれに送信する（ステップＳ２１８）。
【０３２８】
具体的にステップＳ２１８において制御部３１０は、パケット処理部３０３を制御してセキュリティ停止通知を形成し、これを内線Ｉ／Ｆ３０５、ＬＡＮ接続端子３０４を通じて、自機に接続された全ての電話機Ａ〜Ｌのそれぞれに送信することになる。
【０３２９】
ステップＳ２１８の処理の後、制御部３１０は、警備会社との間に接続した通話路を切断（解放）し（ステップＳ２１９）、この後、制御部３１０は、図２３に示したステップＳ２０１からの処理を繰り返すようにする。
【０３３０】
このように、この第１の実施の形態の電話システムのセキュリティサーバ３は、監視モード（セキュリティモード）時において、侵入者等の異常が発生した場合に、自機に接続された電話機と所定の通知先である警備会社との間を中継する。
【０３３１】
そして、電話機からの収音音声をセキュリティサーバ３にバッファリングして、警備会社に送信することにより、その全部を漏れなく送信することができる。また、警備会社から誤報判別通知が送信されてきたときには、セキュリティサーバ３が自機に接続されている全電話機Ａ〜Ｌを制御し、セキュリティ初期状態に遷移さるようにすることができる。
【０３３２】
［第２の実施の形態］
上述した第１の実施の形態においては、閾値より大きな音声を収音している電話機が第１電話機となり、この第１電話機が他の電話機からの音量レベルの提供を受け、音量レベルの比較処理を行い、第１電話機移行通知を形成して送信したりした。
【０３３３】
しかし、このような制御処理を第１電話機が担うのではなく、処理能力の高いセキュリティサーバが担うようにすることもできる。この第２の実施の形態の電話システムは、各電話機に対する制御を、セキュリティサーバが主に行うようにしたものである。
【０３３４】
そして、この第２の実施の形態の電話システムもまた、図１を用いて説明した第１の実施の形態の電話システムの場合と同様に、電話機Ａ〜Ｌがセキュリティサーバに接続されて構成されたものである。また、この第２の実施の形態の電話システムの電話機Ａ〜Ｌのそれぞれは、図２を用いて説明した第１の実施の形態の電話機と同様に構成されたものである。
【０３３５】
このため、この第２の実施の形態においても、必要に応じて、図１、図２をも参照しながら説明することとする。
【０３３６】
［セキュリティサーバ３Ｘの構成］
そして、この第２の実施の形態の電話システムのセキュリティサーバ３Ｘは、図３を用いて説明した第１の実施の形態の電話システムのセキュリティサーバ３とほぼ同様に構成されるものである。しかし、この第２の実施の形態のセキュリティサーバ３Ｘは、セキュリティ情報メモリ３２０を備える点が、第１の実施の形態のセキュリティサーバ３とは異なっている。
【０３３７】
図２５は、この第２の実施の形態の電話システムのセキュリティサーバ３Ｘの構成を説明するためのブロック図である。図３に示した第１の実施の形態のセキュリティサーバ３と比較すると分かるように、この第２の実施の形態のセキュリティサーバ３Ｘは、セキュリティ情報メモリ３２０を備えている点で、第１の実施の形態のセキュリティサーバ３とは異なっている。その他の部分は第１の実施の形態のセキュリティサーバ３と同様に構成されている。
【０３３８】
このため、図３を用いて説明した第１の実施の形態のセキュリティサーバ３と同様に構成される部分については、図２５においても同様の参照符号を付し、その部分の説明は重複するため省略する。
【０３３９】
そして、この第２の実施の形態のセキュリティサーバ３Ｘのセキュリティ情報メモリ３２０は、自機に接続された電話機Ａ〜Ｌのそれぞれの監視モードの状態や侵入者検知通知範囲を把握するための情報が格納されるものである。
【０３４０】
図２６は、セキュリティサーバ３Ｘのセキュリティ情報メモリ３２０で管理される情報について説明するための図である。セキュリティサーバ３Ｘのセキュリティ情報メモリ３２０では、第１の実施の形態では各電話機のセキュリティ情報メモリ１２２において管理されていた情報が、一元的に管理するようにされる。
【０３４１】
図２６に示すように、セキュリティサーバ３Ｘのセキュリティ情報メモリ３２０では、この第２の実施の形態の電話システムが、監視モード（セキュリティモード）になっているか否かを示すセキュリティフラグが管理される。このセキュリティフラグは、当該電話システムが監視モードになっているときには「オン」、そうでない場合には「オフ」となるものである。
【０３４２】
そして、セキュリティサーバ３Ｘに接続された電話機毎に、第１電話機フラグ、候補電話機フラグ、侵入者検知通知先となる電話機の識別情報（例えば、ＩＰアドレスなど）が記憶保持される。
【０３４３】
ここで、電話機毎に管理される第１電話機フラグは、その電話機が第１電話機か否かを示すものであり、第１電話機であれば「オン」、そうでなければ「オフ」となるものである。また、電話機毎に管理される候補電話機フラグは、その電話機が候補電話機か否かを示すものであり、候補電話機であれば「オン」、そうでなければ「オフ」となるものである。
【０３４４】
また、電話機毎の侵入者検知通知先となる電話機の識別情報は、その電話機の侵入者検知通知範囲に属する電話機の識別情報である。
【０３４５】
そして、この第２の実施の形態においても、図４〜図９を用いて説明した第１の実施の形態の場合と同様に、電話機Ａ〜Ｌが所定の部屋に配置されているものとする。
【０３４６】
このため、図２６に示すように、電話機Ｃ用の情報記録エリアには、侵入者検知通知先の識別情報として、図７に示した侵入者検知通知範囲Ａｒ１に属する電話機Ｂ、Ｅ、Ｆの識別情報が登録するようにされている。
【０３４７】
また、図２６に示すように、電話機Ｆ用の情報記憶エリアには、侵入者検知通知先の識別情報として、図９に示した侵入者検知通知範囲Ａｒ２に属する電話機Ａ、Ｂ、Ｃ、Ｅ、Ｇ、Ｈ、Ｉの識別情報が登録するようにされている。
【０３４８】
そして、この第２の実施の形態においても、上述した第１の実施の形態の場合と同様に、図６〜図９を用いて説明したように、まず、ドア近傍の電話機Ｃで閾値より大きな音声が収音され、続いて、電話機Ｆで閾値より大きな音声が収音されるようになった場合を例にして以下の説明を進める。
【０３４９】
［電話システムの監視モード時の動作］
次に、この第２の実施の形態の電話システムの監視モード（セキュリティモード）時の動作について具体的に説明する。
【０３５０】
まず、この第２の実施の形態の電話システムにおいて、図６、図７を用いて説明したように、電話機Ｃで異常音を検出した場合であって、所定の監視先である警備会社側で誤報であることを検知した場合の動作パターンについて説明する。
【０３５１】
なお、この第２の実施の形態の電話システムの場合にも、第１の実施の形態の電話システムの場合と動揺に、セキュリティサーバ３Ｘのタイマ３０８の機能により、例えば、毎日午後１０時になると自動的に監視モード（セキュリティモード）となるようにされている場合として説明する。
【０３５２】
図２７は、この第２の実施の形態の電話システムにおいて、電話機Ｃで異常音を検出し、所定の監視先である警備会社側で誤報であることを検知した場合の電話システムの動作パターンを説明するためのシーケンス図である。
【０３５３】
この第２の実施の形態の電話システムもまた、電話機Ａ〜Ｌを備えるものであるが、説明を簡単にするため、図２７においては、最初に異常音を検知する電話機Ｃと、その近隣の電話機Ｂ、Ｆと、セキュリティサーバ３Ｘとを中心にして説明する。以下、図２７のシーケンス図に沿って、この第２の実施の形態の電話システムの動作を説明する。
【０３５４】
この例の場合、セキュリティサーバ３Ｘは、午後１０時になると、セキュリティ情報メモリ３２０のセキュリティフラグを「オン」にし、図２７に示すように、自機に接続された電話機Ａ〜Ｌのそれぞれに対してセキュリティ開始通知を送信する。
【０３５５】
なお、この第２の実施の形態においても、各電話機は、自機のセキュリティ情報メモリ１２２において、セキュリティフラグ、第１電話機フラグ、候補電話機フラグについては管理し、自機がどのような状態かを把握することができるようにしている。
【０３５６】
したがって、この第２に実施の形態の電話システムにおいても、セキュリティサーバ３Ｘからのセキュリティ開始通知を受信した電話機Ａ〜Ｌのそれぞれは、自機のセキュリティ情報メモリ１２２のセキュリティフラグを「オン」にし、監視モードの初期状態（セキュリティ初期状態）となる。
【０３５７】
そして、監視モードとなった電話機Ａ〜Ｌのそれぞれにおいては、スイッチ回路１０５をハンズフリー用マイクロホンおよびスピーカ部１０８側に切り替える。そして、上述した第１の実施の形態の場合と同様に、各電話機は、ハンズフリー用マイクロホン１０８Ｍを通じて周囲の音声を収音し、当該収音音声の音量レベルと所定の閾値との比較処理を開始する。
【０３５８】
すなわち、ハンズフリー用マイクロホン１０８Ｍで収音された音声（収音音声）は、通話音声入出力Ｉ／Ｆ１０４を通じて制御部１３０に通知される。制御部１３０は、収音音声の音量レベルを検出し、当該音量レベルと所定の閾値と比較して、当該音量レベルが閾値を超えたか否かを判別する処理を順次に行う。
【０３５９】
そして、図２７において、黒丸の印で示したように、電話機Ｃにおいて、音量レベルが所定の閾値よりも高い音声を収音したとする。この場合、電話機Ｃは、侵入者検知通知を形成し、セキュリティサーバ３Ｘに送信する。
【０３６０】
セキュリティサーバ３Ｘは、電話機Ｃからの侵入者検知通知を受信すると、侵入者検知通知を形成し、これをセキュリティ情報メモリ３２０の電話機Ｃについての情報にしたがって、電話機Ｃの侵入者検知通知範囲Ａｒ１内の電話機Ｂ、Ｆ、Ｅに対して送信する。また、セキュリティサーバ３Ｘは、セキュリティ情報メモリ３２０の電話機Ｂ、Ｆ、Ｅの候補電話機フラグを「オン」にする。
【０３６１】
なお、図１４〜図１９を用いて説明したように、各通知にはどこからどこ宛の通知であるかを示す情報も含まれるので、各通知の送信先では自機宛の通知を受信し、それがどこから送信されたものであるかをも適切に判別することができる。また、図２７においては、説明を簡単にするため、電話機Ｅについての記載は省略している。
【０３６２】
そして、侵入者検知通知を受信した侵入者検知通知範囲Ａｒ１内の電話機Ｂ、Ｆ、Ｅのそれぞれは、自機のセキュリティ情報メモリ１２２の候補電話機フラグを「オン」にし、候補電話機となる。
【０３６３】
なお、第１電話機となった電話機Ｃと、候補電話機となった電話機Ｂ、Ｆ、Ｅのそれぞれにおいては、音量レベルとの比較対象である閾値を下げ、判別感度を上げるようにしている。
【０３６４】
さらに、第１電話機である電話機Ｃは、セキュリティサーバ３Ｘに対して発信し、セキュリティサーバ３Ｘからの着信応答を得て、図２７において二重線の矢印で示したようにセキュリティサーバ３Ｘとの間に通話路を接続する。
【０３６５】
そして、電話機Ｃは、接続した通話路を通じて、自機のハンズフリー用マイクロホン１０８Ｍを通じて収音した収音音声をセキュリティサーバ３Ｘに送信する。
【０３６６】
セキュリティサーバ３Ｘは、図２７に示すように、電話機Ｃとの間に接続された通話路を通じて収音音声が送信されてくると、これを受信して自機の録音メモリ３０９に録音する。そして、セキュリティサーバ３Ｘは、所定の監視先である警備会社に発信し、当該警備会社からの着信応答を得て、通話路を接続する。
【０３６７】
この後、図２７に示すように、セキュリティサーバ３Ｘは、当該警備会社との間に接続した通話路を通じて、自機の録音メモリ３０９に録音した電話機Ｃからの収音音声を当該警備会社に送信する。
【０３６８】
この後、警備会社では、セキュリティサーバ３Ｘから送信されてくる収音音声を再生して担当者が聴取し（モニタリングし）、真に異常が発生しているのか、あるいは、誤報なのかを判断するようにする。
【０３６９】
ここで、セキュリティサーバ３Ｘを介して送信されてくる電話機Ｃからの収音音声が、例えば、雷鳴や自動車のクラクションなどの音であり、異常が発生していないことが明らかであることが判明したとする。この場合、当該警備会社からは接続されている通話路を通じて侵入者検知誤報判別通知が送信されてくる。
【０３７０】
侵入者検知誤報判別通知を受信したセキュリティサーバ３Ｘは、まず、音声送信停止要求を検出し、これを音声の送信元である第１電話機の電話機Ｃに送信する。これに応じて、電話機Ｃは、セキュリティサーバ３Ｘとの間に接続した通話路を切断（解放）する。
【０３７１】
この後、セキュリティサーバ３Ｘは、警備会社との間に接続した通話路を切断（解放）する。さらに、セキュリティサーバ３Ｘは、仕切りなおし通知を形成し、これを自機に接続された電話機Ａ〜Ｌのそれぞれに送信する。また、セキュリティサーバ３Ｘは、自機のセキュリティ情報メモリ３２０の各電話機の第１電話機フラグ、候補電話器フラグを初期状態に戻す（オフにする）。
【０３７２】
一方、仕切りなおし通知を受信した電話機Ａ〜Ｌのそれぞれは、自己のセキュリティ情報メモリ１２２のフラグ情報や第１電話機情報を初期状態に戻すと共に、第１電話機や候補電話機となっていた電話機では、音量レベルとの比較に用いる閾値を通常の閾値に戻すようにする。
【０３７３】
これにより各電話機Ａ〜Ｌのそれぞれは、図２７に示すように、セキュリティフラグだけが「オン」となり、第１電話機フラグと候補電話機フラグはいずれも「オフ」であるセキュリティ初期状態に戻る。
【０３７４】
このように、この第２の実施の形態の電話システムの場合には、侵入者検知通知は、第１電話機から直接に各電話機に送信されるのではなく、セキュリティサーバ３Ｘによって、セキュリティサーバ３Ｘのセキュリティ情報メモリ３２０の情報に基づいて必要な電話機に対して送信される。
【０３７５】
そして、この第２の実施の形態の電話システムの場合にも、第１の実施の形態の電話システムの場合と同様に、第１電話機となった電話機からの収音音声を、セキュリティサーバ３Ｘを介して警備会社に送信し、これを警備会社側の担当者が聴取できるようにしている。これにより、雷鳴や自動車のクラクションなどの明らかに異常音でないと判別できる場合には、警備員を急行させたり、警察に通報したりするなどの誤った対応を取ることがないようにすることができる。
【０３７６】
次に、図６〜図９を用いて説明したように、この第２の実施の形態の電話システムにおいて、第１電話機が電話機Ｃから電話機Ｆに移行する場合の動作パターンについて説明する。図２８、図２９は、この第２の実施の形態の電話システムにおいて、第１電話機が電話機Ｃから電話機Ｆに移行する場合の動作パターンについて説明するためのシーケンス図である。
【０３７７】
上述もしたように、この第２の実施の形態の電話システムもまた、電話機Ａ〜Ｌを備えるものであるが、説明を簡単にするため、図２８、図２９においても、最初に異常音を検知する電話機Ｃと、その近隣の電話機Ｂ、Ｆと、セキュリティサーバ３Ｘとを中心にして説明する。以下、図２８、図２９のシーケンス図に沿って、電話システムの動作を説明する。
【０３７８】
図２８と図２７とを比較すると分かるように、この例においても、セキュリティ開始通知の送信から警備会社への収音音声の送信までの処理は、図２７を用いて説明した場合の動作パターンと同様に行われる。
【０３７９】
すなわち、セキュリティサーバ３Ｘは、午後１０時になると、図２８に示すように、自機に接続された電話機Ａ〜Ｌのそれぞれに対してセキュリティ開始通知を送信する。セキュリティサーバ３Ｘからのセキュリティ開始通知を受信した電話機Ａ〜Ｌのそれぞれは、自機のセキュリティ情報メモリ１２２のセキュリティフラグを「オン」にし、監視モードの初期状態（セキュリティ初期状態）となる。
【０３８０】
そして、監視モードとなった電話機Ａ〜Ｌのそれぞれにおいては、ハンズフリー用マイクロホン１０８Ｍを通じて周囲の音声を収音し、当該収音音声の音量レベルと所定の閾値との比較処理を開始する。
【０３８１】
そして、図２８において、電話機Ｃの下側において黒丸の印で示したように、電話機Ｃにおいて、音量レベルが所定の閾値よりも大きな音声を収音したとする。この場合、電話機Ｃは、侵入者検知通知を形成し、セキュリティサーバ３Ｘに送信する。
【０３８２】
セキュリティサーバ３Ｘは、電話機Ｃからの侵入者検知通知を受信すると、侵入者検知通知を形成し、これをセキュリティ情報メモリ３２０の電話機Ｃについての情報にしたがって、電話機Ｃの侵入者検知通知範囲Ａｒ１内の電話機Ｂ、Ｆ、Ｅに対して送信する。また、セキュリティサーバ３Ｘは、セキュリティ情報メモリ３２０の電話機Ｂ、Ｆ、Ｅの候補電話機フラグを「オン」にする。
【０３８３】
そして、侵入者検知通知を受信した侵入者検知通知範囲Ａｒ１内の電話機Ｂ、Ｆ、Ｅのそれぞれは、自機のセキュリティ情報メモリ１２２の候補電話機フラグを「オン」にし、候補電話機となる。
【０３８４】
なお、第１電話機となった電話機Ｃと、候補電話機となった電話機Ｂ、Ｆ、Ｅのそれぞれにおいては、音量レベルとの比較対象である閾値を下げ、判別感度を上げるようにしている。
【０３８５】
さらに、第１電話機である電話機Ｃは、セキュリティサーバ３Ｘに対して発信し、セキュリティサーバ３Ｘからの着信応答を得て、図２８において二重線の矢印で示したようにセキュリティサーバ３Ｘとの間に通話路を接続する。
【０３８６】
そして、電話機Ｃは、接続した通話路を通じて、自機のハンズフリー用マイクロホン１０８Ｍを通じて収音した収音音声をセキュリティサーバ３Ｘに送信する。
【０３８７】
セキュリティサーバ３Ｘは、図２８に示すように、電話機Ｃとの間に接続された通話路を通じて収音音声が送信されてくると、これを受信して自機の録音メモリ３０９に録音する。そして、セキュリティサーバ３Ｘは、所定の監視先である警備会社に発信し、当該警備会社からの着信応答を得て、通話路を接続する。
【０３８８】
この後、図２８に示すように、セキュリティサーバ３Ｘは、当該警備会社との間に接続した通話路を通じて、自機の録音メモリ３０９に録音した電話機Ｃからの収音音声を当該警備会社に送信する。
【０３８９】
この後、図２８において、電話機Ｆの下側において黒丸の印で示したように、図８を用いて説明した場合と同様に、候補電話機となり判別感度が上げられている電話機Ｆにおいて、音量レベルが所定の閾値よりも大きな音声を収音したとする。
【０３９０】
この場合、電話機Ｆは、セキュリティサーバ３Ｘに対して当該音量レベルを通知する音量レベル通知を形成し、これをセキュリティサーバ３Ｘに送信する。
【０３９１】
電話機Ｆからの音量レベル通知を受信したセキュリティサーバ３Ｘは、自機のセキュリティ情報メモリ３２０の情報に基づいて、現時点において第１電話機である電話機Ｃに対して、比較用音量レベル要求を形成し、これを電話機Ｃに送信する。
【０３９２】
この比較用音量レベル要求は、第１電話機である電話機Ｃに対して、電話機Ｆからの音量レベルと比較する電話機Ｃにおける収音音声の音量レベルの提供を要求するものである。これに応じて、現段階で第１電話機である電話機Ｃは、自機の収音音声の音量レベルをセキュリティサーバ３Ｘに通知する。これにより、セキュリティサーバ３Ｘにおいて、電話機Ｆからの音量レベルと、これと比較すべき第１電話機である電話機Ｃの収音音声の音量レベルとが揃う。
【０３９３】
そして、図２９に示す処理に進み、セキュリティサーバ３Ｘは、電話機Ｆからの音量レベルと、現段階において第１電話機である電話機Ｃからの音量レベルとを比較する。
【０３９４】
この場合、電話機Ｃからセキュリティサーバ３Ｘに提供される音量レベルは、電話機Ｃがセキュリティサーバ３Ｘから比較用音量レベル要求を受信した時点の収音音声の音量レベルである。
【０３９５】
しかし、これに限るものではない。第１電話機となった電話機においては、収音音声を所定時間分、自機のメモリに蓄積するようにしておく。そして、第１電話機では、比較用音量レベル要求を受信した時点から、音量レベルを送信してきた電話機（この例では電話機Ｆ）が、当該音量レベルの音声を収音したであろうタイミングと同じタイミングの過去の収音音声の音量レベルを取得するようにする。このようにして第１電話機において取得する例えば所定時間分過去の収音音声の音量レベルをセキュリティサーバ３Ｘに送信するようにしてもよい。
【０３９６】
なお、第１電話機において、どれ位過去の収音音声の音量レベルを用いるかは、他の電話機が閾値より大きな音量レベルの音声を収音したと判断してから、セキュリティサーバ３Ｘからの比較用音量レベル要求を第１電話機が受信するまでにかかる時間に応じて定めるようにすればよい。
【０３９７】
そして、セキュリティサーバ３Ｘにおける音量レベルの比較の結果、電話機Ｆからの音量レベルよりも、現時点において第１電話機である電話機Ｃからの音量レベルの方が高かったとする。この場合には、異常を一番よく検出しているのは電話機Ｃであるので、第１電話機は電話機Ｃのままとして、各電話機において収音音声の監視が続行される。
【０３９８】
一方、セキュリティサーバ３Ｘにおける音量レベルの比較の結果、電話機Ｆからの音量レベルの方が、現時点において第１電話機である電話機Ｃからの音量レベルよりも高かったとする。
【０３９９】
この場合には、異常を一番よく検出しているのは電話機Ｆであるので、セキュリティサーバ３Ｘは、電話機Ｆに対する音声送信要求を形成し、これを電話機Ｆに対して送信する。
【０４００】
音声送信要求を受信した電話機Ｆは、自機のセキュリティ情報メモリ１２２の第１電話機フラグを「オン」にし、候補電話機フラグを「オフ」する。
【０４０１】
そして、電話機Ｆは、セキュリティサーバ３Ｘに対して発信し、セキュリティサーバ３Ｘからの着信応答を得て、図２９において二重線の矢印で示したようにセキュリティサーバ３Ｘとの間に通話路を接続する。
【０４０２】
そして、電話機Ｆは、接続した通話路を通じて、自機のハンズフリー用マイクロホン１０８Ｍを通じて収音した収音音声をセキュリティサーバ３Ｘに送信する。
【０４０３】
セキュリティサーバ３Ｘは、図２９に示すように、電話機Ｆとの間に接続された通話路を通じて収音音声が送信されてくると、これを受信して、電話機Ｃからの収音音声に替えて電話機Ｆからの収音音声を自機の録音メモリ３０９に録音する。
【０４０４】
そして、セキュリティサーバ３Ｘは、既に所定の監視先である警備会社との間に接続されている通話路を通じて、自機の録音メモリ３０９に録音した電話機Ｆからの収音音声を当該警備会社に送信する。
【０４０５】
これにより、当該警備会社においては、電話機Ｃからの収音音声に替えて、新たに第１電話機になった電話機Ｆからの収音音声を受信してこれを聴取することができるようにされる。
【０４０６】
そして、セキュリティサーバ３Ｘは、自機のセキュリティ情報メモリ３２０の情報に基づいて、それまで第１電話機であった電話機Ｃに対する音声送信停止要求を形成して、これを電話機Ｃに対して送信する。
【０４０７】
また、セキュリティサーバ３Ｘは、自機のセキュリティ情報メモリ３２０において、電話機Ｆの第１電話機フラグを「オン」にし、電話機Ｆの候補電話機フラグを「オフ」すると共に、電話機Ｃの第１電話機フラグをオフにする。これにより、第１電話機の移行が完了する。
【０４０８】
そして、音声送信停止要求を受信した電話機Ｃは、セキュリティサーバ３Ｘとの間に接続していた通話路を切断（解放）する。
【０４０９】
この後、セキュリティサーバ３Ｘは、自機のセキュリティ情報メモリ３２０の電話機Ｆについての情報に基づいて、図９に示したように、電話機Ｆの侵入者検知通知範囲Ａｒ２内の電話機Ａ、Ｂ、Ｃ、Ｅ、Ｇ、Ｈ、Ｉに対する侵入者検知通知を形成し、これを電話機Ａ、Ｂ、Ｃ、Ｅ、Ｇ、Ｈ、Ｉに送信する。なお、図２８、図２９においては、説明を簡単にするため、電話機Ｃ、Ｂ、Ｆ以外の電話機についての記載は省略している。
【０４１０】
そして、侵入者検知通知を受信した侵入者検知通知範囲Ａｒ２内の電話機Ａ、Ｂ、Ｃ、Ｅ、Ｇ、Ｈ、Ｉのそれぞれは、自機のセキュリティ情報メモリ１２２の候補電話機フラグを「オン」にし候補電話機となる。
【０４１１】
そして、図２９に示すように、警備会社の警備員が到着後、セキュリティサーバ３Ｘに対してセキュリティ機能停止命令を入力する。このセキュリティ機能停止命令は、例えば、電話機Ａ〜Ｌのいずれかを通じて行うこともできるし、セキュリティサーバ３Ｘに対して直接に入力することもできる。
【０４１２】
セキュリティサーバ３Ｘは、セキュリティ機能停止命令を受信すると、セキュリティ終了通知を形成し、これを自機に接続された電話機Ａ〜Ｌのそれぞれに対して送信する。また、セキュリティサーバ３Ｘは、自機のセキュリティ情報メモリ３２０のセキュリティ機能に関するフラグをクリアされる。
【０４１３】
セキュリティ終了通知を受信した電話機Ａ〜Ｌのそれぞれは、セキュリティ情報メモリ１２２のフラグ情報を全て「オフ」にして、監視モードが終了するようにされ、通常の電話機としての動作に戻るようにされる。
【０４１４】
このように、この第２の実施の形態の電話システムの場合には、侵入者検知通知などは、電話機間で直接的に送受するのではなく、セキュリティサーバ３Ｘの機能により、セキュリティサーバ３Ｘが必要となる電話機に対して供給するようにしている。これにより、電話機における負荷を軽減することができる。
【０４１５】
そして、この第２の実施の形態に電話システムにおいても、監視モード時に、セキュリティサーバ３Ｘに接続されている電話機Ａ〜Ｌのいずれかで所定の閾値より大きな音量レベルの音声を収音している場合には、収音音声をセキュリティサーバ３Ｘを介して警備会社に送信することができる。
【０４１６】
そして、警備会社の担当者が、セキュリティサーバ３Ｘからの収音音声を聴取し、侵入者等の異常が発生しているか、異常が発生している場合には、どのような様態かを知ることができるようにされる。そして、異常が発生していると判断した場合、あるいは、異常が発生している可能性が高いと判断した場合には、迅速に適切な対応を取ることができるようにされる。
【０４１７】
［電話システムの個々の電話機の処理］
次に、この第２の実施の形態の電話システムの電話機Ａ〜Ｌのそれぞれにおいて行われる監視モード時の処理の詳細について説明する。図３０〜図３２は、第２の実施の形態の電話システムの電話機Ａ〜Ｌにおいて行われる監視モード時の処理を説明するためのフローチャートである。この図３０〜図３２に示す処理は、図２を用いて説明したように構成されるこの実施の形態の電話機（電話端末１）の主に制御部１３０において実行される処理である。
【０４１８】
そして、この実施の形態の電話機において、制御部１３０は、常時、ＬＡＮ接続端子１０１、ＬＡＮＩ／Ｆ１０２を通じて、自機宛に送信されてくる通知を受信するようにし（ステップＳ３０１）、自機宛の通知を受信したか否かを判断するようにしている（ステップＳ３０２）。
【０４１９】
ステップＳ３０２の判断処理において、自機宛の通知を受信していないと判断したときには、ステップＳ３０１からの処理を繰り返し、自機宛の通知の受信を待つ。ステップＳ３０２の判断処理において、自機宛の通知を受信したと判断したときには、制御部１３０は、受信した自機宛の通知がセキュリティサーバ３Ｘからのセキュリティ開始通知か否かを判断する（ステップＳ３０３）。
【０４２０】
ステップＳ３０３の判断処理において、セキュリティ開始通知ではないと判断したときには、制御部１３０は、当該受信した通知に応じた処理を実行する（ステップＳ３０４）。例えば、受信した通知が自機への着信通知である場合には、自機に着信があることを通知するためにリンガ１１３を鳴動させるなどの一連の着信処理が行われることになる。
【０４２１】
ステップＳ３０３の判断処理において、受信した自機宛の通知は、セキュリティ開始通知であると判断したときには、制御部１３０は、セキュリティ情報メモリ１２２のセキュリティフラグを「オン」にし、自機を監視モードにする（ステップＳ３０５）。
【０４２２】
そして、制御部１３０は、スイッチ回路１０５をハンズフリー用マイクロホンおよびスピーカ部１０８側に切り替え、ハンズフリー用マイクロホン１０８Ｍを通じて、周囲の音声を収音する処理を開始させる（ステップＳ３０６）。
【０４２３】
この後、制御部１３０は、ハンズフリーようマイクロホン１０８Ｍを通じて収音している音声の音量レベルが所定の閾値より大きくなったか否か（超えたか否か）を判断する（ステップＳ３０７）。すなわち、上述もしたように、ハンズフリー用マイクロホン１０８Ｍで収音された収音音声は、通話音声入出力Ｉ／Ｆ１０４を通じて制御部１３０に供給され、ここで音量レベルが検出されて、所定の閾値と比較するようにされる。
【０４２４】
ステップＳ３０７の判断処理において、収音音声の音量レベルが所定の閾値よりも大きくなっていないと判断したときには、制御部１３０は、ＬＡＮ接続端子１０１、ＬＡＮＩ／Ｆ１０２を通じて、自機宛の侵入者検知通知を受信するようにする（ステップＳ３０８）。そして、制御部３１０は、自機宛の侵入者検知通知を受信したか否かを判断する（ステップＳ３０９）。
【０４２５】
ステップＳ３０８の判断処理において、自機宛の侵入者検知通知を受信していないと判断したときには、制御部１３０は、ステップＳ３０７からの処理を繰り返すようにする。
【０４２６】
また、ステップＳ３０８の判断処理において、自機宛の侵入者検知通知を受信したと判断したときには、制御部１３０は、セキュリティ情報メモリ１２２をアクセスし、候補電話機フラグを「オン」にする（ステップＳ３１０）。
【０４２７】
これにより、自機は候補電話機となる。この場合、候補電話機となった電話機においては、収音音声の音量レベルとの比較対象なる閾値も、より低いものとされ、判別感度が上げられるようにされる。ステップＳ３１０の処理の後、制御部１３０は、ステップＳ３０７からの処理を繰り返す。
【０４２８】
また、ステップＳ３０７の判断処理において、収音音声の音量レベルが所定の閾値よりも大きくなったと判断したときには、制御部１３０は、自機のセキュリティ情報メモリ１２２を参照し、自機は候補電話機か否かを判断する（ステップＳ３１１）。
【０４２９】
ステップＳ３１１の判断処理において、自機は候補電話機ではないと判断したときには、図３１のステップＳ３１２の処理に進み、制御部１３０は、侵入者検知通知を形成して、これをセキュリティサーバ３Ｘに送信する（ステップＳ３１２）。
【０４３０】
具体的にステップＳ３１２において制御部１３０は、パケット処理部１０３を制御して、侵入者検知通知を形成し、これをＬＡＮＩ／Ｆ１０２、ＬＡＮ接続端子１０１を通じてセキュリティサーバ３Ｘに送信する。
【０４３１】
そして、制御部１３０は、ＬＡＮ接続端子１０１、ＬＡＮＩ／Ｆ１０２を通じてセキュリティサーバ３Ｘからの侵入者検知通知を受信し（ステップＳ３１３）、自機のセキュリティ情報メモリの第１電話機フラグを「オン」にする（ステップＳ３１４）。
【０４３２】
さらに、制御部１３０は、ＬＡＮ接続端子１０１、ＬＡＮＩ／Ｆ１０２を通じてセキュリティサーバ３Ｘからの音声送信要求を受信するようにし（ステップＳ３１５）、音声送信要求を受信したか否かを判断する（ステップＳ３１６）。
【０４３３】
ステップＳ３１６の判断処理において、音声送信要求を受信していないと判断したときには、制御部１３０は、ステップＳ３１５からの処理を繰り返し、自機宛の音声送信要求を受信するまで待ち状態となるようにされる。
【０４３４】
一方、ステップＳ３１１の判断処理において、自機は候補電話機であると判断したときには、図３１のステップＳ３３０の処理に進み、制御部１３０は、自機の収音音声の音量レベルをセキュリティサーバ３Ｘに送信する（ステップＳ３３０）。
【０４３５】
具体的にステップＳ３３０において制御部１３０は、パケット処理部１０３を制御して、自機の収音音声の音量レベルを通知するための音量レベル通知を形成し、これをＬＡＮＩ／Ｆ１０２、ＬＡＮ接続端子１０１を通じてセキュリティサーバ３Ｘに送信する。
【０４３６】
そして、制御部１３０は、ＬＡＮ接続端子１０１、ＬＡＮＩ／Ｆ１０２を通じてセキュリティサーバ３Ｘからの音声送信要求を受信するようにし（ステップＳ３３１）、音声送信要求を受信したか否かを判断する（ステップＳ３３２）。
【０４３７】
ステップＳ３３２の判断処理において、音声送信要求を受信していないと判断したときには、制御部１３０は、図３０に示したステップＳ３０７からの処理を行うようにする。
【０４３８】
ステップＳ３３２の判断処理において、音声送信要求を受信したと判断したときには、制御部１３０は、自機のセキュリティ情報メモリ１２２の第１電話機フラグを「オン」にすると共に、候補電話機フラグを「オフ」する（ステップＳ３３３）。
【０４３９】
そして、図３１に示すように、ステップＳ３１６の判断処理において音声送信要求を受信したと判断した場合、および、ステップＳ３３３の処理の後においては、制御部１３０は、ステップＳ３１７の処理を行う。
【０４４０】
すなわち、制御部１３０は、ＬＡＮＩ／Ｆ１０２、ＬＡＮ接続端子１０１を通じてセキュリティサーバ３Ｘに発信し、セキュリティサーバ３Ｘからの着信応答を受信して、自機とセキュリティサーバ３との間に通話路を接続する（ステップＳ３１７）。
【０４４１】
そして、電話機の制御部１３０は、ハンズフリー用マイクロホン１０８Ｍを通じて収音している音声を順次にセキュリティサーバ３Ｘに送信する（ステップＳ３１８）。
【０４４２】
このステップＳ３１８においては、まず、ハンズフリー用マイクロホン１０８Ｍを通じて収音している音声を順次にパケット処理部１０３においてセキュリティサーバ３Ｘ宛てのパケットとしてパケット化する処理を行う。そして、このパケット化した収音音声を、ＬＡＮＩ／Ｆ１０２、ＬＡＮ接続端子１０１を通じてＬＡＮケーブル２に送出し、セキュリティサーバ３Ｘに対して送信する処理を行う。
【０４４３】
この後、制御部１３０は、ＬＡＮ接続端子１０１、ＬＡＮＩ／Ｆ１０２を通じて自機宛の通知を受信するようにし（ステップＳ３１９）、自機宛の通知を受信したか否かを判断する（ステップＳ３２０）。
【０４４４】
ステップＳ３２０の判断処理において、自機宛の通知を受信していないと判断したときには、制御部１３０は、図３０のステップＳ３０７からの処理を繰り返すようにする。
【０４４５】
ステップＳ３２０の判断処理において、自機宛の通知を受信したと判断したときには、制御部１３０は、図３２のステップＳ３２１の処理に進み、受信した通知は、自機宛の比較用音量レベル要求か否かを判断する（ステップＳ３２１）。
【０４４６】
ステップＳ３２１の判断処理において、自機宛の比較用音量レベル要求を受信したと判断したときには、自機の収音音声の音量レベルを通知する音量レベル通知を形成し、これをセキュリティサーバ３Ｘに送信する（ステップＳ３２２）。
【０４４７】
具体的にステップＳ３２２において制御部１３０は、パケット処理部１０３を制御して、自機の収音音声の音量レベルを通知するための音量レベル通知を形成し、これをＬＡＮＩ／Ｆ１０２、ＬＡＮ接続端子１０１を通じてセキュリティサーバ３Ｘに送信する。
【０４４８】
この後、制御部１３０は、ＬＡＮ接続端子１０１、ＬＡＮＩ／Ｆ１０２を通じて自機宛の音声送信停止要求を受信するようにし（ステップＳ３２３）、自機宛の音声送信停止要求を受信したか否かを判断する（ステップＳ３２４）。
【０４４９】
ステップＳ３２４の判断処理において、音声送信停止要求を受信していないと判断したときには、制御部１３０は、図３０に示したステップＳ３０７からの処理を行うようにする。
【０４５０】
ステップＳ３２４の判断処理において、音声送信停止要求を受信したと判断したときには、制御部１３０は、セキュリティサーバ３Ｘへの収音音声の送信を停止し、セキュリティサーバ３Ｘとの間に接続した通話路を切断（解放）する（ステップＳ３２５）。
【０４５１】
また、ステップＳ３２５において、制御部１３０は、自機のセキュリティ情報メモリ１２２の第１電話機フラグを「オフ」にする処理も行なう。そして、制御部１３０は、ステップＳ３２５の処理の後、図３０のステップＳ３０７からの処理を繰り返すようにする。
【０４５２】
また、ステップＳ３２１の判断処理において、受信した通知は、自機宛の音量レベル通知ではないと判断したときには、制御部１３０は、受信した通知は自機宛の仕切りなおし通知か否かを判断する（ステップＳ３２６）。
【０４５３】
ステップＳ３２６の判断処理において、受信した通知は自機宛の仕切りなおし通知であると判断したときには、制御部１３０は、自機のセキュリティ情報メモリ１２２の第１電話機フラグを「オフ」にし（ステップＳ３２７）、この後、図３０に示したステップＳ３０７からの処理を繰り返す。
【０４５４】
また、ステップＳ３２６の判断処理において、受信した通知は自機宛の仕切りなおし通知ではないと判断したときには、制御部１３０は、セキュリティ終了通知を受信したと判断し、自機のセキュリティ情報メモリ１２２のフラグ情報および第１電話機情報を初期化して（ステップＳ３２８）、通常の電話機の動作に戻る（ステップＳ３２９）。この後、図３０に示したステップＳ３０１からの処理を繰り返すようにする。
【０４５５】
このように、第２の実施の形態の電話システムを構成する電話機Ａ〜Ｌのそれぞれにおいては、図３０〜図３２に示した処理が実行される。そして、監視モードとされたときには、ハンズフリー用マイクロホン１０８Ｍを通じて周囲の音声を収音し、収音音声の音量レベルが閾値よりも大きい場合に、収音音声をセキュリティサーバ３Ｘに送信することができる。
【０４５６】
また、この第２の実施の形態の電話システムの電話機は、侵入者検知通知は基本的にセキュリティサーバ３Ｘが行うようにするので、他の電話機と直接的に通信を行う必要も無く、他の電話機の音量レベルとの比較を行うこともない。このため、監視モード時における電話機自体の負荷を軽減することができる。
【０４５７】
もちろん、この第２の実施の形態の電話システムの場合にも、電話機が侵入者等の異常を検知した場合、セキュリティサーバ３Ｘを通じて、異常を検知した電話機の配置位置に応じて決められた侵入者検知通知範囲の電話機に対して侵入者検知通知を行う。これにより、それらの電話機を第１電話機になる可能性の高い候補電話機として異常音の検出感度を上げるようにし、精度よく異常音の収音を行うことができるようにされる。
【０４５８】
そして、異常音を一番よく検出している電話機が、収音音声をセキュリティサーバ３Ｘに送信する第１電話機となるようにすることができるので、監視モード時においては、最も適切に異常音を収音している電話機の収音音声をセキュリティサーバ３Ｘに送信することができるようにしている。
【０４５９】
［電話システムのセキュリティサーバの処理］
次に、この第２の実施の形態の電話システムのセキュリティサーバ３Ｘにおいて行われる監視モード時の処理の詳細について説明する。図３３〜図３６は、第２の実施の形態の電話システムのセキュリティサーバ３Ｘにおいて行われる監視モード時の処理を説明するためのフローチャートである。この図３３〜図３６に示す処理は、図２５を用いて説明したように構成されるこの実施の形態のセキュリティサーバ３Ｘの主に制御部３１０において実行される処理である。
【０４６０】
そして、この実施の形態のセキュリティサーバ３Ｘの制御部３１０は、監視モードではない通常時においては、監視モード（セキュリティモード）への移行の契機となるセキュリティ開始イベントを検出したか否かを判断する（ステップＳ４０１）。
【０４６１】
ここでセキュリティ開始イベントは、上述した第１の実施の形態の場合と同様に、例えば、タイマ３０８に設定された監視モードへの移行時間の到来や電話機を介して送信されてくる監視モードへの移行要求（移行通知）の受信などである。
【０４６２】
ステップＳ４０１の判断処理において、セキュリティ開始イベントを検出していないと判断したときには、制御部３１０は、ステップＳ４０１からの判断処理を繰り返す。また、ステップＳ４０１の判断処理において、セキュリティ開始イベントを検出したと判断したときには、制御部３１０は、セキュリティ開始通知を形成し、これを自機に接続された電話機Ａ〜Ｌのそれぞれに送信する（ステップＳ４０２）。
【０４６３】
具体的にステップＳ４０２においては、制御部３１０はパケット処理部３０３を制御して各電話機へのセキュリティ開始通知を形成し、これを内線Ｉ／Ｆ３０５、ＬＡＮ接続端子３０４を通じてＬＡＮケーブル２に送出し、各電話機Ａ〜Ｌに送信する。また、ステップＳ４０２において、制御部３１０は、自機のセキュリティ情報メモリ３２０のセキュリティフラグを「オン」にする処理をも行なう。
【０４６４】
この後、セキュリティサーバ３Ｘの制御部３１０は、ＬＡＮ接続端子３０４、内線Ｉ／Ｆ３０５を通じて、セキュリティ機能を開始させた（監視モードとなった）電話機からの侵入者検知通知を受信するようにする（ステップＳ４０３）。
【０４６５】
そして、制御部３１０は、監視モードとなった電話機からの侵入者検知通知を受信したか否かを判断する（ステップＳ４０４）。ステップＳ４０４の判断処理において、侵入者検知通知を受信していないと判断したときには、ステップＳ４０３からの処理を繰り返すようにする。
【０４６６】
ステップＳ４０４の判断処理において、監視モードとなった電話機からの侵入者検知通知を受信したと判断したときには、制御部３１０は、侵入者検知通知元の電話機の侵入者検知通知範囲の電話機に対する侵入者検知通知を形成し、これを送信する（ステップＳ４０５）。
【０４６７】
具体的にステップＳ４０５において制御部３１０は、自機のセキュリティ情報メモリ３２０の侵入者検知通知元に応じた侵入者検知通知先情報を参照すると共に、パケット処理を制御し、目的する電話機に対する侵入者検知通知を形成する。
【０４６８】
そして、制御部３１０は、形成した侵入者検知通知を内線Ｉ／Ｆ３０５、ＬＡＮ接続端子３０４を通じてＬＡＮケーブル２に送出し、侵入者検知通知元の電話機の侵入者検知通知範囲に属する電話機のそれぞれに送信する。
【０４６９】
そして、制御部３１０は、自機のセキュリティ情報メモリ３２０において、侵入者検知通知元の第１電話機フラグを「オン」にすると共に、侵入者検知通知先となった電話機の候補電話機フラグを「オン」にする処理を実行する（ステップＳ４０６）。
【０４７０】
この後、制御部３１０は、侵入者検知通知元の電話機（第１電話機）に対して、音声送信要求を形成して送信する（ステップＳ４０７）。具体的にステップＳ４０７において制御部３１０は、パケット処理を制御し、第１電話機となった電話機に対する音声送信要求を形成し、これを内線Ｉ／Ｆ３０５、ＬＡＮ接続端子３０４を通じてＬＡＮケーブル２に送出し、第１電話機となった電話機に送信する。
【０４７１】
この後、制御部３１０は、図３４に示すステップＳ４０８の処理に進み、ＬＡＮ接続端子３０４、内線Ｉ／Ｆ４０５を通じて、第１電話機からの発信を受信するようにし（ステップＳ４０８）、第１電話機からの発信を受信したか否かを判断する（ステップＳ４０９）。
【０４７２】
ステップＳ４０９の判断処理において、第１電話機からの発信を受信していないと判断したときには、ステップＳ４０８からの処理を繰り返し、第１電話機からの発信を待つようにする。
【０４７３】
また、ステップＳ４０９の判断処理において、第１電話機からの発信を受信したと判断したときには、制御部３１０は、当該第１電話機に対して着信応答を返信する（ステップＳ４１０）。
【０４７４】
そして、制御部３１０は、発信元の電話機との間に通話路を接続し、当該通話路を通じて送信されてくる第１電話機からのパケット化された収音音声を受信して、これを自機の録音メモリに記録する処理を開始する（ステップＳ４１１）。
【０４７５】
具体的にステップＳ４１１において、制御部３１０は、接続した通話路を通じて送信されてくる第１電話機からのパケット化された収音音声をＬＡＮ接続端子３０４、内線Ｉ／Ｆ３０５を通じて受信する。
【０４７６】
そして、受信したパケット化されている収音音声をパケット処理部３０３においてパケット分解して、収音音声（音声データ）を抽出し、これを自機の録音メモリ３０９に順次に記録する処理を行うことになる。
【０４７７】
この後、制御部３１０は、外線Ｉ／Ｆ３０６、ＩＰ網接続端子３０７を通じて所定の監視先である警備会社に発信し、当該警備会社からの着信応答を受信して、自機と警備会社との間に通話路を接続する（ステップＳ４１２）。
【０４７８】
そして、制御部３１０は、自機の録音メモリ３０９に録音した電話機からの収音音声を警備会社との間に接続した通話路を通じて警備会社に送信する処理を開始する（ステップＳ４１３）。
【０４７９】
具体的にステップＳ４１３において制御部３１０は、自機の録音メモリ３０９に録音した電話機からの収音音声を読み出し、これをパケット処理部３０３においてパケット化する。このパケット化した収音音声を、外線Ｉ／Ｆ３０６、ＩＰ網接続端子３０７を通じて警備会社との間に接続した通話路に送出し、当該警備会社に対して送信する。
【０４８０】
この後、制御部３１０は、ＩＰ網接続端子３０７、外線Ｉ／Ｆ３０６を通じて当該警備会社からの誤報判別通知を受信するようにする（ステップＳ４１４）。そして、制御部３１０は、警備会社からの誤報判別通知を受信したか否かを判断する（ステップＳ４１５）。
【０４８１】
ステップＳ４１５の判断処理において、誤報判別通知を受信したと判断したときには、制御部３１０は、仕切りなおし通知を形成し、これを自機に接続された全ての電話機Ａ〜Ｌのそれぞれに送信する（ステップＳ４１６）。
【０４８２】
具体的にステップＳ４１６において制御部３１０は、パケット処理部３０３を制御して仕切りなおし通知を形成し、これを内線Ｉ／Ｆ３０５、ＬＡＮ接続端子３０４を通じて、自機に接続された全ての電話機Ａ〜Ｌのそれぞれに送信することになる。
【０４８３】
この後、制御部３１０は、自機のセキュリティ情報メモリ３２０の各電話機の第１電話機フラグと候補電話機フラグとを「オフ」にした後（ステップＳ４１７）、制御部３１０は、図３３に示したステップＳ４０３からの処理を繰り返すようにする。
【０４８４】
また、ステップＳ４１５の判断処理において、誤報判別通知を受信していないと判断したときには、制御部３１０は、図３５のステップＳ４１８の処理に進み、自機に接続された他の電話機からの音量レベル通知を受信するようにする（ステップＳ４１８）。
【０４８５】
そして、制御部３１０は、他の電話機からの音量レベル通知を受信したか否かを判断する（ステップＳ４１９）。ステップＳ４１９の判断処理において、他の電話機からの音量レベル通知を受信していないと判断したときには、制御部３１０は、ステップＳ４１８からの処理を繰り返すようにする。
【０４８６】
ステップＳ４１９の判断処理において、他の電話機（第１電話機の候補としての電話機）からの音量レベル通知を受信したと判断したときには、制御部３１０は、比較のための音量レベルの提供を要求する比較音量レベル提供要求を形成し、これを現段階における第１電話機に対して送信する（ステップＳ４２０）。
【０４８７】
具体的にステップＳ４２０において制御部３１０は、パケット処理部３０３を制御して、第１電話機に対する比較音量レベル要求を形成し、これを内線Ｉ／Ｆ３０５、ＬＡＮ接続端子３０４を通じて第１電話機に対して送信する。
【０４８８】
この後、制御部３１０は、ＬＡＮ接続端子３０４、内線Ｉ／Ｆ３０５を通じて、第１電話機から送信されてくる音量レベル通知（比較用音量レベル通知）を受信する（ステップＳ４２１）。
【０４８９】
そして、制御部３１０は、ステップＳ４１８において受信した他の電話機（第１電話機の候補としての電話機）からの音量レベルと、ステップＳ４２１において受信した第１電話機からの音量レベルとを比較する処理を行う（ステップＳ４２２）。
【０４９０】
この後、制御部３１０は、ステップＳ４１８において受信した他の電話機（第１電話機の候補としての電話機）からの音量レベルの方が高く、侵入者の移動が発生したか否かを判断する（ステップＳ４２３）。
【０４９１】
ステップＳ４２３の判断処理において、侵入者の移動は発生していない（ステップＳ４２１において受信した第１電話機からの音量レベルの方が高い）と判断したときには、第１電話機の移行は行わず、ステップＳ４１８からの処理を繰り返す。
【０４９２】
ステップＳ４２３の判断処理において、侵入者の移動が発生した（ステップＳ４１８において受信した第１電話機の候補としての電話機からの音量レベルの方が高い）と判断したときには、制御部３１０は、当該他の電話機に対して、音声送信要求を送信する（ステップＳ４２４）。すなわち、第１電話機の移行を行うようにする。
【０４９３】
具体的にステップＳ４２４において制御部３１０は、パケット処理部３０３を制御して、当該他の電話機に対する音声送信要求を形成し、これを内線Ｉ／Ｆ３０５、ＬＡＮ接続端子３０４を通じて当該他の電話機に対して送信する。
【０４９４】
そして、制御部３１０は、音声送信要求を送信した当該他の電話機からの発信を受信するようにし（ステップＳ４２５）、当該他の電話機からの発信を受信したか否かを判断する（ステップＳ４２６）。
【０４９５】
ステップＳ４２６の判断処理において、当該他の電話機からの発信を受信していないと判断したときには、制御部３１０は、ステップＳ４２５からの処理を繰り返し、当該他の電話機からの発信を受信するまで待ち状態となるようにされる。
【０４９６】
ステップＳ４２６の判断処理において、当該他の電話機からの発信を受信したと判断したときには、制御部３１０は、図３６のステップＳ４２７の処理に進み、発信してきた当該他の電話機に対して着信応答を返信する（ステップＳ４２７）。
【０４９７】
この後、制御部３１０は、発信元の電話機との間に通話路を接続し、当該通話路を通じて送信されてくる当該他の電話機からのパケット化された収音音声を受信して、これを自機の録音メモリに記録する処理を開始する（ステップＳ４２８）。
【０４９８】
そして、制御部３１０は、既に接続されている警備会社との間の通話路を通じて、新たに第１電話機となる電話機からの収音音声を、パケット化して、当該警備会社に送信する処理を開始する（ステップＳ４２９）。
【０４９９】
そして、制御部３１０は、それまで第１電話機であった電話機に対して、音声送信停止要求を形成して送信する（ステップＳ４３０）。これにより、それまで第１電話機であった電話機からの収音音声の送信は停止され、当該電話機とセキュリティサーバ３Ｘとの間の通話路は切断（解放）される。
【０５００】
この後、制御部３１０は、自機のセキュリティ情報メモリ３２０を最新の状態に更新する（ステップＳ４３１）。ステップＳ４３１において制御部３１０は、自機のセキュリティ情報メモリ３２０のそれまで第１電話機であった電話機の第１電話機フラグをオフにする。さらに、自機のセキュリティ情報メモリ３２０の新たに収音音声を送信してくるようになった当該他の電話機の第１電話機フラグを「オン」にし、当該他の電話機の候補電話機フラグを「オフ」にする。これにより、第１電話機の移行が完了する。
【０５０１】
そして、制御部３１０は、新たに第１電話機なった電話機の侵入者検知通知範囲の電話機に対する侵入者検知通知を形成し、これを送信する（ステップＳ４３２）。
【０５０２】
具体的にステップＳ４３２において制御部３１０は、自機のセキュリティ情報メモリ３２０の新たな第１電話機の侵入者検知通知先情報を参照すると共に、パケット処理部３０３を制御して、目的する電話機に対する侵入者検知通知を形成する。
【０５０３】
そして、制御部３１０は、形成した侵入者検知通知を内線Ｉ／Ｆ３０５、ＬＡＮ接続端子３０４を通じてＬＡＮケーブル２に送出し、新たな第１電話機の侵入者検知通知範囲に属する電話機のそれぞれに送信する。
【０５０４】
この後、制御部３１０は、セキュリティ停止イベントが発生したか否かを判断する（ステップＳ４３３）。ここで、セキュリティ停止イベントは、例えば警備会社の警備員などにより、セキュリティサーバ３Ｘに対して、あるいは、電話機Ａ〜Ｌのいずれかを通じて行うようにされるセキュリティ停止のための操作の発生などである。また、セキュリティサーバ３Ｘにおいて、タイマ３０８がセキュリティ停止時間になったことを検出した場合にも、セキュリティ停止イベントとなる。
【０５０５】
ステップＳ４３３の判断処理において、セキュリティ停止イベントは発生していないと判断したときには、制御部３１０は、図３４のステップＳ４１４からの処理を繰り返すようにする。
【０５０６】
また、ステップＳ４３３の判断処理において、セキュリティ停止イベントが発生したと判断したときには、制御部３１０は、セキュリティ停止通知を形成し、これを自機に接続された電話機Ａ〜Ｌのそれぞれに送信する（ステップＳ４３４）。
【０５０７】
具体的にステップＳ４３４において制御部３１０は、パケット処理部３０３を制御してセキュリティ停止通知を形成し、これを内線Ｉ／Ｆ３０５、ＬＡＮ接続端子３０４を通じて、自機に接続された全ての電話機Ａ〜Ｌのそれぞれに送信することになる。
【０５０８】
ステップＳ４３４の処理の後、制御部３１０は、自機のセキュリティ情報メモリ３２０のフラグ情報を初期化して、通常の電話モードの戻るようにする（ステップＳ４３５）。そして、制御部３１０は、警備会社との間に接続した通話路を切断（解放）し（ステップＳ４３６）、この後、制御部３１０は、図３３に示したステップＳ４０１からの処理を繰り返すようにする。
【０５０９】
このように、この第２の実施の形態の電話システムのセキュリティサーバ３Ｘは、第１の実施の形態の電話システムでは、第１電話機が担っていた機能をも担当し、電話機の負荷を軽減するようにしている。
【０５１０】
そして、この第２の実施の形態の電話システムのセキュリティサーバ３Ｘもまた、監視モード（セキュリティモード）時において、侵入者等の異常が発生した場合に、自機に接続された電話機と所定の通知先である警備会社との間を中継する。
【０５１１】
そして、電話機からの収音音声をセキュリティサーバ３Ｘにバッファリングして、警備会社に送信することにより、その全部を漏れなく送信することができるようにしている。また、警備会社から誤報判別通知が送信されてきたときには、セキュリティサーバ３Ｘが自機に接続されている全電話機Ａ〜Ｌを制御し、セキュリティ初期状態に遷移さるようにすることができる。
【０５１２】
［その他］
［侵入者検知通知範囲の電話機すべての収音音声の送信］
なお、上述した実施の形態においては、第１電話機となった電話機で収音音声をセキュリティサーバ３、３Ｘに送信するようにしたが、これに限るものではない。
【０５１３】
例えば、閾値より大きな音量レベルの音声を収音した電話機が発生した場合に、その電話機を含め、その電話機の侵入者検知通知範囲に属するすべての電話機の収音音声を、セキュリティサーバ３、３Ｘを通じて所定の監視先に送信するようにしてもよい。
【０５１４】
この場合には、当該所定の監視先において、異常音が発生した周囲の音声をも聴取することができるようにされ、より正確に異常音が発生した場所の状況を把握することができるようにされる。
【０５１５】
また、第１電話機の移行が発生した場合に、直前の第１電話機と新たな第１電話機とを区別できるようにしておくことにより、新たな第１電話機の侵入者検知通知範囲に属さなくなった電話機の候補電話機フラグを「オフ」に戻すようにすることもできる。これにより、最新の第１電話機に応じた侵入者検知通知範囲の電話機を用いて、より適切に侵入者等の異常を検知するようにすることができる。
【０５１６】
もちろん、侵入者検知通知範囲以外の電話機を通じても収音音声の音量レベルチェックは、監視モード時に応じて常時行うようにされるので、異常音の発生場所が、突然に大きく移動するようなことが発生しても、問題なく異常音の発生を検知することができる。
【０５１７】
また、監視モード時においては、セキュリティサーバ３、３Ｘは、警備会社以外からの着信については、例えば拒否するようにする。これにより、監視モード時の集音音声による監視機能が外部からの着信により妨害されることを防止することができる。
【０５１８】
［侵入者の移動経路の把握機能］
また、上述した第１、第２の実施の形態の電話システムの場合には、音量レベルの一番高い音声を収音している電話機が第１電話機となるようにしている。このため、セキュリティサーバ３、３Ｘ側で、収音音声を送信してくる第１電話機の変更の履歴を保持しておくようにすることによって、侵入者の移動経路を把握することができる。
【０５１９】
つまり、セキュリティサーバ３、３Ｘが有するメモリ（経路保持手段）に、監視モードになった後において、最初に第１電話機なった電話機の識別情報と、その後、収音音声を送信してくる電話機が変わる毎に、その収音音声を送信してくる電話機の識別情報を、順番に記録保持するようにする。
【０５２０】
そして、上述した第１、第２の実施の形態において、図４〜図９を用いて説明したように、各電話機の位置は、方眼紙などに転記され、その侵入者検知通知範囲を特定するなどのことがされており、各電話機の位置は正確に把握されている。
【０５２１】
このため、電話機の配置位置に応じて、第１電話機の移行の順番をたどることによって、侵入者の移動経路を把握することができるようにされる。
【０５２２】
［ＩＰ電話端末以外の利用］
なお、上述した実施の形態では、ＩＰ電話端末を用いて電話システムを構成した場合を例にして説明したが、これに限るものではない。従来のボタン電話端末を用いた電話システムを用いて同様の電話システムを構築することも可能である。この場合には、セキュリティサーバ３、３Ｘの機能をいわゆる主装置が実現するように構成すればよい。
【０５２３】
［電話システムの柔軟性］
また、上述した実施の形態の電話システムは、あくまでも一例であり、さらに多数の電話機を用いてより広範囲な電話システムを構成することも可能である。逆に、１台の電話機とセキュリティサーバとからなる電話システムにもこの発明を適用することが可能である。この場合、侵入者検知通知範囲という概念は存在しなくなるので、制御を単純化することができる。
【０５２４】
また、上述した電話機とセキュリティサーバの機能を併せ持つようにした電話機を形成することにより、当該電話機によってこの発明を実現することも可能である。
【０５２５】
また、上述した実施の形態のシーケンス図やフローチャートを用いて説明した動作や処理も一例であり、種々変更や改良が可能である。この場合、重要な点は、電話機が有するマイクロホンによって、収音する音声の音量レベルに基づいて、侵入者等の異常を検知するようにし、異常を検知した場合に、電話機での収音音声を所定の監視先に送信し、当該所定の監視先においてし、電話器の収音音声をモニタリングすることが可能な構成が重要なポイントである。
【０５２６】
［ハンドセットのマイクロホンの利用可能性等］
なお、上述した第１、第２の実施の形態においては、監視モード時において、スイッチ回路１０５をハンズフリー用マイクロホンおよびスピーカ部１０８側に切り換えることにより、ハンズフリー用マイクロホン１０８Ｍによって周囲の音声を収音するようにした。
【０５２７】
しかし、この場合、ハンズフリー用スピーカ１０８Ｓは使用しないので、監視モード時においては、ハンズフリー用スピーカ１０８Ｓは使用しないように、別途スイッチ回路を設けて切り換えるように構成することもできる。
【０５２８】
また、上述した実施の形態では、ハンズフリー用マイクロホンを用いて、周囲の音声を収音するようにしたが、これに限るものではない。監視モード時において、例えば、ハンドセットのマイクロホンを用いて周囲の音声を収音するように構成することも可能である。
【０５２９】
この場合、マイクロホンの感度が足りないようであれば、監視モード時においてだけ、ハンドセットのマイクロホンの感度を上げるようにする種々の対応をとるようにすることも可能である。
【０５３０】
例えば、監視モード時においてだけ、ハンドセットのマイクロホンを通じて収音した音声の増幅率を上げるようにするなどの対応を取ることが考えられる。
【０５３１】
［侵入者以外の異常発生の検出］
なお、上述した実施の形態においては、主に侵入者が発生し、当該侵入者がたてる音を異常音として検出する場合を例にして説明したが、異常の発生は侵入者の発生だけを検出するものではない。
【０５３２】
例えば、火災発生時にも異常音は発生するし、地震などによっても異常音は発生する。このため、普段発生しえないような音声が発生した場合に、これを異常音として検知して、セキュリティサーバを通じて所定の監視先に送信することができる。これによって、所定の監視先において、異常音を聴取し、異常の発生状況を適切に判断して適切な対応を取ることができるようにされる。
【符号の説明】
【０５３３】
１…電話機（ＩＰ電話端末）、１０１…ＬＡＮ接続端子、１０２…ＬＡＮＩ／Ｆ、１０３…パケット処理部、１０４…通話音声入出力Ｉ／Ｆ、１０５…スイッチ回路、１０６…ハンドセット接続端子、１０７…ハンドセット、１０８…ハンズフリー用マイクロホンおよびスピーカ部、１０８Ｍ…ハンズフリー用マイクロホン、１０８Ｓ…ハンズフリー用スピーカ、１０９…操作入力部、１１０…操作入力Ｉ／Ｆ、１１１…ディスプレイコントローラ、１１２…ディスプレイ、１１３…リンガ１１３、１２１…発報処理部、１２２…セキュリティ情報メモリ、１３０…制御部、１３１…ＣＰＵ、１３２…ＲＯＭ、１３３…ＲＡＭ、１３４…ＣＰＵバス、２…ＬＡＮケーブル、３、３Ｘ…セキュリティサーバ、３０１…呼制御用メモリ、３０２…呼制御用パケット生成部、３０３…パケット処理部、３０４…ＬＡＮ接続端子、３０５…内線Ｉ／Ｆ、３０６…外線Ｉ／Ｆ、３０７…ＩＰ網接続端子、３０８…タイマ、３０９…録音メモリ、３１０…制御部、３１１…ＣＰＵ、３１２…ＲＯＭ、３１３…ＲＡＭ、３１４…ＣＰＵバス、３２０…セキュリティ情報メモリ
【図１】
0005429470.tif 000002
【図２】
0005429470.tif 000003
【図３】
0005429470.tif 000004
【図４】
0005429470.tif 000005
【図５】
0005429470.tif 000006
【図６】
0005429470.tif 000007
【図７】
0005429470.tif 000008
【図８】
0005429470.tif 000009
【図９】
0005429470.tif 000010
【図１０】
0005429470.tif 000011
【図１１】
0005429470.tif 000012
【図１２】
0005429470.tif 000013
【図１３】
0005429470.tif 000014
【図１４】
0005429470.tif 000015
【図１５】
0005429470.tif 000016
【図１６】
0005429470.tif 000017
【図１７】
0005429470.tif 000018
【図１８】
0005429470.tif 000019
【図１９】
0005429470.tif 000020
【図２０】
0005429470.tif 000021
【図２１】
0005429470.tif 000022
【図２２】
0005429470.tif 000023
【図２３】
0005429470.tif 000024
【図２４】
0005429470.tif 000025
【図２５】
0005429470.tif 000026
【図２６】
0005429470.tif 000027
【図２７】
0005429470.tif 000028
【図２８】
0005429470.tif 000029
【図２９】
0005429470.tif 000030
【図３０】
0005429470.tif 000031
【図３１】
0005429470.tif 000032
【図３２】
0005429470.tif 000033
【図３３】
0005429470.tif 000034
【図３４】
0005429470.tif 000035
【図３５】
0005429470.tif 000036
【図３６】
0005429470.tif 000037